(57)【特許請求の範囲】
【請求項１】
所与の無線通信プロトコルにしたがって動作する無線通信システム内アクセスネットワークからの通信セッションをアナウンスする方法であって、
前記アクセスネットワークで、コールオリジネータから要求された前記通信セッションをターゲットのアクセス端末にアナウンスするためのコールアナウンスメッセージをアプリケーションサーバから受信するステップと、
前記コールアナウンスメッセージに応じて、前記アクセス端末にページメッセージを伝達するステップと、
前記ページメッセージに応じて、前記アクセス端末からセル更新メッセージを受信するステップと、
前記セル更新メッセージに応じて、専用チャネル状態への前記アクセス端末の移行を容易にするように、前記アクセス端末に再構成メッセージを伝達するステップと、
前記再構成メッセージを伝達した後に、前記アクセスネットワークと前記アクセス端末の間で少なくとも1つのチャネルに対して物理層同期処理を開始するステップであって、前記物理層同期処理は前記専用チャネル状態への前記アクセス端末の前記移行に関連するステップと、
前記物理層同期処理が進行中に、前記アクセス端末にダウンリンクチャネル上で前記コールアナウンスメッセージを伝達するステップとを含む方法。
【請求項２】
前記物理層アップリンク同期処理中にアップリンクチャネル上で前記アクセス端末から、前記ダウンリンクチャネルに対するチャネル品質報告を受信するステップをさらに含む方法であって、
前記伝達ステップは、前記チャネル品質報告の受信に応じて行われる、請求項1に記載
の方法。
【請求項３】
前記ダウンリンクチャネルは、高速ダウンリンク共有チャネル(HS-DSCH)に対応し、前記アップリンクチャネルは、高速専用物理制御チャネル(HS-DPCCH)に対応する、請求項2に記載の方法。
【請求項４】
前記チャネル品質報告に基づいて伝達パラメータを判断するステップをさらに含む方法であって、前記伝達ステップは、前記判断された伝達パラメータにより前記コールアナウンスメッセージを伝達する、請求項2に記載の方法。
【請求項５】
前記所与の無線通信プロトコルは、第3世代パートナーシッププロジェクト(3GPP)のリ
リース6、リリース7またはリリース8に対応する、請求項2に記載の方法。
【請求項６】
前記受信ステップの後に前記アクセス端末をページングするステップと、
前記アクセス端末からページ応答を受信するステップと、
前記ページ応答に応じて、所与の終了期間を有するタイマを開始するステップとをさらに含む、請求項1に記載の方法。
【請求項７】
前記タイマの終了の際に前記伝達ステップを行うステップをさらに含む、請求項6に記載の方法。
【請求項８】
前記タイマが終了する前に、前記伝達ステップを行うステップをさらに含む、請求項6に記載の方法。
【請求項９】
前記タイマが終了するまで、所与の間隔で複数回前記コールアナウンスメッセージを伝達するステップをさらに含む、請求項8に記載の方法。
【請求項１０】
前記コールアナウンスメッセージの第1の前記複数の伝達が遅延して、前記第1の伝達の受信の準備をするように、閾値期間を前記アクセス端末に許可する、請求項9に記載の方法。
【請求項１１】
前記第1の伝達の前記遅延は、前記開始ステップを遅延させることによって実施される、請求項10に記載の方法。
【請求項１２】
前記所与の間隔は、1つまたは複数の順方向アクセスチャネル(FACH)伝達時間間隔(TTI)に対応する、請求項9に記載の方法。
【請求項１３】
前記所与の間隔は、前記アクセス端末がどれだけ長く1つまたは複数の専用チャネルを再構成することが予測されるかに基づいて確立される、請求項12に記載の方法。
【請求項１４】
前記所与の無線通信プロトコルは、第3世代パートナーシッププロジェクト(3GPP)リリース99に対応する、請求項6に記載の方法。
【請求項１５】
前記物理層同期処理が完了したことを示すメッセージを前記アクセス端末から受信するステップと、
前記受信したメッセージを受信した後に、前記アクセス端末が前記コールアナウンスメッセージを許可しているかどうかを示すコール許可メッセージを受信するステップとをさらに含む、請求項1に記載の方法。
【請求項１６】
前記受信したメッセージおよび前記受信したコール許可メッセージは、アップリンク専用チャネル上で受信される、請求項15に記載の方法。
【請求項１７】
前記受信したメッセージは、無線ベアラ再構成完了メッセージ、輸送チャネル再構成完了メッセージ、および/または物理チャネル再構成完了メッセージに対応する、請求項15に記載の方法。
【請求項１８】
前記物理層同期処理は、L1同期処理に対応し、前記少なくとも1つのチャネルは、(i)アップリンク専用物理制御チャネル(DPCCH)、(ii)ダウンリンクDPCCH、および/または(iii)ダウンリンク分数専用物理チャネル(F-DPCH)を含んでいる、請求項1に記載の方法。
【請求項１９】
前記ダウンリンクチャネルは、ダウンリンク専用チャネル(DCH)、またはダウンリンク高速ダウンリンク共有チャネル(HS-DSCH)に対応する、請求項1に記載の方法。
【請求項２０】
所与の無線通信プロトコルにしたがって動作する無線通信システム内での通信セッションに対するアナウンスを、アクセス端末において受信する方法であって、
アクセスネットワークと前記アクセス端末の間で少なくとも1つのチャネルに対して物理層同期処理を開始する再構成メッセージを前記アクセスネットワークから受信するステップであって、前記物理層同期処理は専用チャネル状態への前記アクセス端末の移行に関連するステップと、
前記受信した再構成メッセージに応じて、前記物理層同期処理が進行中に、コールオリジネータから要求された前記通信セッションをターゲットの前記アクセス端末にアナウンスするためのコールアナウンスメッセージの受信のためにダウンリンクチャネルを監視するステップとを含む方法。
【請求項２１】
前記ダウンリンクチャネルのチャネル品質を測定するステップと、
前記物理層同期処理中にアップリンクチャネル上で前記アクセスネットワークに対する前記測定されたチャネル品質を示すチャネル品質報告を伝達するステップと、
前記チャネル品質報告に応じて、前記ダウンリンクチャネル上で前記コールアナウンスメッセージを受信するステップとをさらに含む、請求項20に記載の方法。
【請求項２２】
前記伝達ステップは、前記測定ステップが、前記物理層同期が完了するのを待つことなく、前記ダウンリンクチャネルの信号の閾値数を測定するとすぐに行われる、請求項21に記載の方法。
【請求項２３】
前記ダウンリンクチャネルは、高速ダウンリンク共有チャネル(HS-DSCH)に対応し、前記アップリンクチャネルは、高速専用物理制御チャネル(HS-DPCCH)に対応する、請求項21に記載の方法。
【請求項２４】
前記コールアナウンスメッセージに関連する伝達パラメータは、前記ダウンリンクチャネルの前記測定したチャネル品質に部分的に基づいている、請求項21に記載の方法。
【請求項２５】
前記所与の無線通信プロトコルは、第3世代パートナーシッププロジェクト(3GPP)のリリース6、リリース7またはリリース8に対応する、請求項21に記載の方法。
【請求項２６】
前記物理層同期処理が完了する前に、前記コールアナウンスメッセージを少なくとも1回受信するステップをさらに含む、請求項20に記載の方法。
【請求項２７】
前記コールアナウンスメッセージを受信するステップは、前記物理層同期処理が完了する前に、前記コールアナウンスメッセージを所与の間隔で複数回受信する、請求項26に記載の方法。
【請求項２８】
前記所与の間隔は、1つまたは複数の順方向アクセスチャネル(FACH)伝達時間間隔(TTI)に対応する、請求項27に記載の方法。
【請求項２９】
前記所与の間隔は、前記アクセス端末がどれだけ長く1つまたは複数の専用チャネルを再構成することが予測されるかに基づいて確立される、請求項28に記載の方法。
【請求項３０】
前記コールアナウンスメッセージの1つを上手く復号化するステップと、
前記所与の間隔で伝達された1つまたは複数の順次コールアナウンスメッセージを無視するステップとをさらに含む、請求項27に記載の方法。
【請求項３１】
前記コールアナウンスメッセージを受信するステップは、前記物理層同期処理が完了する前に、前記コールアナウンスメッセージを1回だけ受信する、請求項26に記載の方法。
【請求項３２】
前記所与の無線通信プロトコルは、第3世代パートナーシッププロジェクト(3GPP)リリース6またはリリース99に対応する、請求項20に記載の方法。
【請求項３３】
前記物理層同期処理が完了すると前記アクセスネットワークに前記物理層同期処理が完了したことを示すメッセージを送信するステップと、
前記メッセージを送信した後に、前記アクセス端末が前記コールアナウンスメッセージを許可しているかどうかを示すコール許可メッセージを送信するステップとをさらに含む、請求項20に記載の方法。
【請求項３４】
前記送信したメッセージおよび前記送信したコール許可メッセージが、アップリンク専用チャネル上で送信される、請求項33に記載の方法。
【請求項３５】
前記送信されたメッセージは、無線ベアラ再構成完了メッセージ、輸送チャネル再構成完了メッセージ、および/または物理チャネル再構成完了メッセージに対応する、請求項33に記載の方法。
【請求項３６】
前記物理層同期処理は、L1同期処理に対応し、前記少なくとも1つのチャネルは、(i)アップリンク専用物理制御チャネル(DPCCH)、(ii)ダウンリンクDPCCH、および/または(iii)ダウンリンク分数専用物理チャネル(F-DPCH)を含んでいる、請求項20に記載の方法。
【請求項３７】
前記ダウンリンクチャネルは、ダウンリンク専用チャネル(DCH)、またはダウンリンク高速ダウンリンク共有チャネル(HS-DSCH)に対応する、請求項20に記載の方法。
【請求項３８】
ページメッセージを前記アクセスネットワークから受信するステップと、
前記ページメッセージに応じて前記アクセスネットワークに再構成メッセージを送信するステップと、
前記再構成メッセージに応じて前記アクセスネットワークから再構成確認メッセージを受信するステップであって、前記物理層同期処理を開始する前記受信したメッセージは、前記再構成完了メッセージに対応するステップとをさらに含む、請求項20に記載の方法。
【請求項３９】
所与の無線通信プロトコルにしたがって動作する無線通信システム内からの通信セッションをアナウンスするように構成されたアクセスネットワークであって、
前記アクセスネットワークで、コールオリジネータから要求された前記通信セッションをターゲットのアクセス端末にアナウンスするためのコールアナウンスメッセージをアプリケーションサーバから受信する手段と、
前記コールアナウンスメッセージに応じて、前記アクセス端末にページメッセージを伝達する手段と、
前記ページメッセージに応じて、前記アクセス端末からセル更新メッセージを受信する手段と、
前記セル更新メッセージに応じて、専用チャネル状態への前記アクセス端末の移行を容易にするように、前記アクセス端末に再構成メッセージを伝達する手段と、
前記再構成メッセージを伝達した後に、前記アクセスネットワークと前記アクセス端末の間で少なくとも1つのチャネルに対して物理層同期処理を開始する手段であって、前記物理層同期処理は前記専用チャネル状態への前記アクセス端末の前記移行に関連する手段と、
前記物理層同期処理が進行中に、前記アクセス端末にダウンリンクチャネル上で前記コールアナウンスメッセージを伝達する手段とを備えたアクセスネットワーク。
【請求項４０】
所与の無線通信プロトコルにしたがって動作する無線通信システム内での通信セッションに対するアナウンスを受信するように構成されたアクセス端末であって、
アクセスネットワークと前記アクセス端末の間で少なくとも1つのチャネルに対して物理層同期処理を開始する再構成メッセージを前記アクセスネットワークから受信する手段であって、前記物理層同期処理は専用チャネル状態への前記アクセス端末の移行に関連する手段と、
前記受信した再構成メッセージに応じて、前記物理層同期処理が進行中に、コールオリジネータから要求された前記通信セッションをターゲットの前記アクセス端末にアナウンスするためのコールアナウンスメッセージの受信のためにダウンリンクチャネルを監視する手段とを備えたアクセス端末。
【請求項４１】
所与の無線通信プロトコルにしたがって動作する無線通信システム内からの通信セッションをアナウンスするように構成されたアクセスネットワークであって、
前記アクセスネットワークで、コールオリジネータから要求された前記通信セッションをターゲットのアクセス端末にアナウンスするためのコールアナウンスメッセージをアプリケーションサーバから受信するように構成されたロジックと、
前記コールアナウンスメッセージに応じて、前記アクセス端末にページメッセージを伝達するように構成されたロジックと、
前記ページメッセージに応じて、前記アクセス端末からセル更新メッセージを受信するように構成されたロジックと、
前記セル更新メッセージに応じて、専用チャネル状態への前記アクセス端末の移行を容易にするように、前記アクセス端末に再構成メッセージを伝達するように構成されたロジックと、
前記再構成メッセージを伝達した後に、前記アクセスネットワークと前記アクセス端末の間で少なくとも1つのチャネルに対して物理層同期処理を開始するように構成されたロジックであって、前記物理層同期処理は前記専用チャネル状態への前記アクセス端末の前記移行に関連するロジックと、
前記物理層同期処理が進行中に、前記アクセス端末にダウンリンクチャネル上で前記コールアナウンスメッセージを伝達するように構成されたロジックとを備えたアクセスネットワーク。
【請求項４２】
所与の無線通信プロトコルにしたがって動作する無線通信システム内での通信セッションに対するアナウンスを受信するように構成されたアクセス端末であって、
アクセスネットワークと前記アクセス端末の間で少なくとも1つのチャネルに対して物理層同期処理を開始する再構成メッセージを前記アクセスネットワークから受信するように構成されたロジックであって、前記物理層同期処理は専用チャネル状態への前記アクセス端末の移行に関連するロジックと、
前記受信した再構成メッセージに応じて、前記物理層同期処理が進行中に、コールオリジネータから要求された前記通信セッションをターゲットの前記アクセス端末にアナウンスするためのコールアナウンスメッセージの受信のためにダウンリンクチャネルを監視するように構成されたロジックとを備えたアクセス端末。
【請求項４３】
所与の無線通信プロトコルにしたがって動作する無線通信システム内からの通信セッションをアナウンスするように構成されたアクセスネットワークによって実行される場合、前記アクセスネットワークに動作を行わせる指示を含む非一過性コンピュータ読取可能な記憶媒体であって、前記指示が、
前記アクセスネットワークで、コールオリジネータから要求された前記通信セッションをターゲットのアクセス端末にアナウンスするためのコールアナウンスメッセージをアプリケーションサーバから受信するプログラムコードと、
前記コールアナウンスメッセージに応じて、前記アクセス端末にページメッセージを伝達するプログラムコードと、
前記ページメッセージに応じて、前記アクセス端末からセル更新メッセージを受信するプログラムコードと、
前記セル更新メッセージに応じて、専用チャネル状態への前記アクセス端末の移行を容易にするように、前記アクセス端末に再構成メッセージを伝達するプログラムコードと、
前記再構成メッセージを伝達した後に、前記アクセスネットワークと前記アクセス端末の間で少なくとも1つのチャネルに対して物理層同期処理を開始するプログラムコードであって、前記物理層同期処理は前記専用チャネル状態への前記アクセス端末の前記移行に関連するプログラムコードと、
前記物理層同期処理が進行中に、前記アクセス端末にダウンリンクチャネル上で前記コールアナウンスメッセージを伝達するプログラムコードとを含んでいる媒体。
【請求項４４】
所与の無線通信プロトコルにしたがって動作する無線通信システム内での通信セッションに対するアナウンスを受信するように構成されたアクセス端末によって実行される場合、前記アクセス端末に動作を行わせる指示を含む非一過性コンピュータ読取可能な記憶媒体であって、前記指示が、
アクセスネットワークと前記アクセス端末の間で少なくとも1つのチャネルに対して物理層同期処理を開始する再構成メッセージを前記アクセスネットワークから受信するプログラムコードであって、前記物理層同期処理は専用チャネル状態への前記アクセス端末の移行に関連するプログラムコードと、
前記受信した再構成メッセージに応じて、前記物理層同期処理が進行中に、コールオリジネータから要求された前記通信セッションをターゲットの前記アクセス端末にアナウンスするためのコールアナウンスメッセージの受信のためにダウンリンクチャネルを監視するプログラムコードとを含んでいる媒体。
【請求項４５】
所与の無線通信プロトコルにしたがって動作する無線通信システム内アクセスネットワークからの通信セッションをアナウンスする方法であって、
前記アクセスネットワークで、コールオリジネータから要求された前記通信セッションをターゲットのアクセス端末にアナウンスするためのコールアナウンスメッセージをアプリケーションサーバから受信するステップと、
前記受信したコールアナウンスメッセージに応じて、専用チャネル状態への前記アクセス端末の移行を容易にするように、前記アクセス端末に再構成メッセージを伝達するステップと、
再構成確認メッセージが前記アクセス端末から受信される前に、前記アクセス端末にダウンリンクチャネル上で前記コールアナウンスメッセージを伝達するステップであって、前記再構成確認メッセージは、前記アクセス端末が前記専用チャネル状態に上手く移行されたことを示しているステップとを含む方法。
【請求項４６】
アップリンクチャネル上で前記アクセス端末から、前記ダウンリンクチャネルに対するチャネル品質報告を受信するステップとをさらに含む方法であって、
前記コールアナウンスメッセージを伝達する前記ステップは、前記チャネル品質報告の受信に応じて行われる、請求項45に記載の方法。
【請求項４７】
前記受信ステップの後に前記アクセス端末をページングするステップと、
前記アクセス端末からページ応答を受信するステップと、
前記ページ応答に応じて、所与の終了期間を有するタイマを開始するステップとをさらに含む方法であって、
前記コールアナウンスメッセージを伝達する前記ステップは、前記タイマの動作に部分的に基づいている、請求項45に記載の方法。
【請求項４８】
前記コールアナウンスメッセージを伝達する前記ステップは、前記アクセスネットワークと前記アクセス端末の間で少なくとも1つのチャネルの物理層同期処理の完了の後に起こる、請求項45に記載の方法。
【請求項４９】
前記物理層同期処理は、L1同期処理に対応し、前記少なくとも1つのチャネルは、(i)アップリンク専用物理制御チャネル(DPCCH)、(ii)ダウンリンクDPCCH、および/または(iii)ダウンリンク分数専用物理チャネル(F-DPCH)を含んでいる、請求項48に記載の方法。
【請求項５０】
前記再構成メッセージは、無線ベアラ再構成メッセージ、輸送チャネル再構成メッセージ、セル更新メッセージ、または物理チャネル再構成メッセージの少なくとも1つに対応する、請求項45に記載の方法。
【請求項５１】
前記再構成確認メッセージは、無線ベアラ再構成完了メッセージ、輸送チャネル再構成完了メッセージ、および/または物理チャネル再構成完了メッセージに対応する、請求項45に記載の方法。
【請求項５２】
所与の無線通信プロトコルにしたがって動作する無線通信システム内アクセス端末での通信セッションに対するアナウンスを受信する方法であって、
前記アクセス端末が専用チャネル状態に移行するように指示する再構成メッセージをアクセスネットワークから受信するステップと、
前記再構成メッセージに応じて、再構成確認メッセージが前記アクセスネットワークに伝達される前に、コールオリジネータから要求された前記通信セッションをターゲットの前記アクセス端末にアナウンスするためのコールアナウンスメッセージの受信のためにダウンリンクチャネルを監視するステップであって、前記再構成確認メッセージは、前記アクセス端末が前記専用チャネル状態に上手く移行されたことを示すステップとを含む方法。
【請求項５３】
前記ダウンリンクチャネルのチャネル品質を測定するステップと、
前記再構成確認メッセージが伝達される前に、アップリンクチャネル上で前記アクセスネットワークに対する前記測定されたチャネル品質を示すチャネル品質報告を伝達するステップと、
前記チャネル品質報告に応じて、前記ダウンリンクチャネル上で前記コールアナウンスメッセージを受信するステップとをさらに含む、請求項52に記載の方法。
【請求項５４】
前記再構成確認メッセージが伝達される前に、前記コールアナウンスメッセージを少なくとも1回受信するステップをさらに含む、請求項52に記載の方法。
【請求項５５】
前記アクセスネットワークと前記アクセス端末の間で少なくとも1つのチャネルの物理層同期処理の完了の後に、前記コールアナウンスメッセージが受信される、請求項52に記載の方法。
【請求項５６】
前記物理層同期処理は、L1同期処理に対応し、前記少なくとも1つのチャネルは、(i)アップリンク専用物理制御チャネル(DPCCH)、(ii)ダウンリンクDPCCH、および/または(iii)
ダウンリンク分数専用物理チャネル(F-DPCH)を含んでいる、請求項55に記載の方法。
【請求項５７】
前記再構成メッセージは、無線ベアラ再構成メッセージ、輸送チャネル再構成メッセージ、および/または物理チャネル再構成メッセージに対応する、請求項52に記載の方法。
【請求項５８】
前記再構成確認メッセージは、無線ベアラ再構成完了メッセージ、輸送チャネル再構成完了メッセージ、および/または物理チャネル再構成完了メッセージに対応する、請求項52に記載の方法。
【請求項５９】
所与の無線通信プロトコルにしたがって動作する無線通信システム内からの通信セッションをアナウンスするように構成されたアクセスネットワークであって、
前記アクセスネットワークで、コールオリジネータから要求された前記通信セッションをターゲットのアクセス端末にアナウンスするためのコールアナウンスメッセージをアプリケーションサーバから受信する手段と、
前記受信したコールアナウンスメッセージに応じて、専用チャネル状態への前記アクセス端末の移行を容易にするように、前記アクセス端末に再構成メッセージを伝達する手段と、
再構成確認メッセージが前記アクセス端末から受信される前に、前記アクセス端末にダウンリンクチャネル上で前記コールアナウンスメッセージを伝達する手段であって、前記再構成確認メッセージは、前記アクセス端末が前記専用チャネル状態に上手く移行されたことを示している手段とを備えたアクセスネットワーク。
【請求項６０】
所与の無線通信プロトコルにしたがって動作する無線通信システム内での通信セッションに対するアナウンスを受信するように構成されたアクセス端末であって、
前記アクセス端末が専用チャネル状態に移行するように指示する再構成メッセージをアクセスネットワークから受信する手段と、
前記再構成メッセージに応じて、再構成確認メッセージが前記アクセスネットワークに
伝達される前に、コールオリジネータから要求された前記通信セッションをターゲットの前記アクセス端末にアナウンスするためのコールアナウンスメッセージの受信のためにダウンリンクチャネルを監視する手段であって、前記再構成確認メッセージは、前記アクセス端末が前記専用チャネル状態に上手く移行されたことを示す手段とを備えたアクセス端末。
【請求項６１】
所与の無線通信プロトコルにしたがって動作する無線通信システム内からの通信セッションをアナウンスするように構成されたアクセスネットワークであって、
前記アクセスネットワークで、コールオリジネータから要求された前記通信セッションをターゲットのアクセス端末にアナウンスするためのコールアナウンスメッセージをアプリケーションサーバから受信するように構成されたロジックと、
前記受信したコールアナウンスメッセージに応じて、専用チャネル状態への前記アクセス端末の移行を容易にするように、前記アクセス端末に再構成メッセージを伝達するように構成されたロジックと、
再構成確認メッセージが前記アクセス端末から受信される前に、前記アクセス端末にダウンリンクチャネル上で前記コールアナウンスメッセージを伝達するように構成されたロジックであって、前記再構成確認メッセージは、前記アクセス端末が前記専用チャネル状態に上手く移行されたことを示しているロジックとを備えたアクセスネットワーク。
【請求項６２】
所与の無線通信プロトコルにしたがって動作する無線通信システム内での通信セッションに対するアナウンスを受信するように構成されたアクセス端末であって、
前記アクセス端末が専用チャネル状態に移行するように指示する再構成メッセージをアクセスネットワークから受信するように構成されたロジックと、
前記再構成メッセージに応じて、再構成確認メッセージが前記アクセスネットワークに伝達される前に、コールオリジネータから要求された前記通信セッションをターゲットの前記アクセス端末にアナウンスするためのコールアナウンスメッセージの受信のためにダウンリンクチャネルを監視するように構成されたロジックであって、前記再構成確認メッセージは、前記アクセス端末が前記専用チャネル状態に上手く移行されたことを示すロジックとを備えたアクセス端末。
【請求項６３】
所与の無線通信プロトコルにしたがって動作する無線通信システム内からの通信セッションをアナウンスするように構成されたアクセスネットワークによって実行される場合、前記アクセスネットワークに動作を行わせる指示を含む非一過性コンピュータ読取可能な記憶媒体であって、前記指示が、
前記アクセスネットワークで、コールオリジネータから要求された前記通信セッションをターゲットのアクセス端末にアナウンスするためのコールアナウンスメッセージをアプリケーションサーバから受信するプログラムコードと、
前記受信したコールアナウンスメッセージに応じて、専用チャネル状態への前記アクセス端末の移行を容易にするように、前記アクセス端末に再構成メッセージを伝達するプログラムコードと、
再構成確認メッセージが前記アクセス端末から受信される前に、前記アクセス端末にダウンリンクチャネル上で前記コールアナウンスメッセージを伝達するプログラムコードであって、前記再構成確認メッセージは、前記アクセス端末が前記専用チャネル状態に上手く移行されたことを示しているプログラムコードとを含んでいる媒体。
【請求項６４】
所与の無線通信プロトコルにしたがって動作する無線通信システム内での通信セッションのアナウンスを受信するように構成されたアクセス端末によって実行される場合、前記アクセス端末に動作を行わせる指示を含む非一過性コンピュータ読取可能な記憶媒体であって、前記指示が、
前記アクセス端末が専用チャネル状態に移行するように指示する再構成メッセージをアクセスネットワークから受信するプログラムコードと、
前記再構成メッセージに応じて、再構成確認メッセージが前記アクセスネットワークに伝達される前に、コールオリジネータから要求された前記通信セッションをターゲットの前記アクセス端末にアナウンスするためのコールアナウンスメッセージの受信のためにダウンリンクチャネルを監視するプログラムコードであって、前記再構成確認メッセージは、前記アクセス端末が前記専用チャネル状態に上手く移行されたことを示すプログラムコードとを備えた媒体。
【発明の詳細な説明】
【技術分野】
【０００１】
本特許出願は、本明細書の譲受人に譲渡され、全体を本明細書に参照により明確に援用する、2009年5月22日出願の、「ANNOUNCING A COMMUNICATION SESSION WITHIN A WIRELESS COMMUNICATIONS SYSTEM」という名称の、仮特許出願第61/180,645号の優先権を主張する。
【０００２】
本発明の実施形態は、無線通信システム内の通信セッションのアナウンスに関する。
【背景技術】
【０００３】
無線通信システムは、第1世代アナログ無線電話サービス(1G)、第2世代(2G)デジタル無線電話サービス(中間の2.5Gおよび2.75Gネットワークを含む)、および第3世代(3G)高速データ/インターネット接続可能無線サービスを含む、様々な世代にわたって発展してきた。現在、セルラシステムおよびパーソナル通信サービス(PCS)システムを含む、使用中の多くの異なるタイプの無線通信システムがある。知られているセルラシステムの例としては、セルラアナログ先進移動電話システム(AMPS)、ならびに符号分割多元接続(CDMA)、周波数分割多元接続(FDMA)、時分割多元接続(TDMA)、TDMAのグローバルシステムフォーモバイルアクセス(GSM（登録商標）)バリエーション、およびTDMAおよびCDMA技術の両方を使用したより新しいハイブリッドデジタル通信システムに基づくデジタルセルラシステムが挙げられる。
【０００４】
CDMA移動通信を提供する方法は、本明細書ではIS-95と呼ぶ、「デュアルモード広帯域スペクトル拡散セルラシステム用移動局/基地局互換性標準」という名称のTIA/EIA/IS-95-Aにおいて電気通信業界協会/電子工業協会によって米国で標準化された。AMPS/CDMA結合システムがTIA/EIA標準IS-98に記載されている。他の通信システムが、広帯域CDMA(W-CDMA)、CDMA2000(例えば、CDMA2000 1xEV-DO標準など)、またはTD-SCDMAと呼ばれるものを含む、IMT-2000/UM、または国際移動通電気信システム2000/ユニバーサル移動電気通信システム標準に記載されている。
【０００５】
無線通信システムでは、移動局、ハンドセット、またはアクセス端末(AT)は、基地局に隣接する、またはこれを囲む特定の地理的領域内の通信リンクまたはサービスをサポートする固定位置基地局(セルサイトまたはセルとも呼ぶ)から信号を受信する。基地局は、普通はサービス品質(QoS)要件に基づいて、トラフィックを微分する方法をサポートする標準的インターネットエンジニアリングタスクフォース(IETF)ベースのプロトコルを使用するパケットデータネットワークである、アクセスネットワーク(AN)/無線アクセスネットワーク(RAN)にエントリポイントを提供する。したがって、基地局は普通、オーバージエアインターフェイスを通してATと、およびインターネットプロトコル(IP)ネットワークデータパケットを通してANと相互作用する。
【０００６】
無線電気通信システムでは、プッシュトゥトーク(PTT)能力は、サービス業および消費者の間で一般的となってきている。PTTは、CDMA、FDMA、TDMA、GSM（登録商標）等などの標準的商業無線インフラ上で動作する「ディスパッチ(dispatch)」音声サービスをサポートすることができる。ディスパッチモデルでは、エンドポイント(AT)間の通信が仮想グループ内で起こり、1人の「話者」の音声が1人または複数人の「聞き手」に伝達される。このタイプの通信の唯一の例は普通、ディスパッチコール、または単にPTTコールと呼ばれる。PTTコールは、コールの特徴を規定するグループの例示化である。グループは基本的に、メンバーリスト、およびグループ名またはグループ識別などの関連情報によって規定される。
【０００７】
従来、無線通信ネットワーク内のデータパケットは、単一の宛先またはアクセス端末に送信されるようになっていた。単一の宛先へのデータの伝達は、「ユニキャスト」と呼ばれる。移動通信が増加するにつれて、所与のデータを多数のアクセス端末に同時に伝達する能力が、より重要となってきた。したがって、プロトコルは、多数の宛先またはターゲットアクセス端末への同じパケットまたはメッセージの同時データ伝達をサポートするようにされた。「ブロードキャスト」は、(例えば、所与のサービスプロバイダによって提供される所与のセル内などで)全ての宛先またはアクセス端末へのデータパケットの伝達のことを言い、「マルチキャスト」は、所与のグループの宛先またはアクセス端末へのデータパケットの伝達のことを言う。例では、所与のグループの宛先または「マルチキャストグループ」は、(例えば、所与のサービスプロバイダによって提供される所与のグループ内などに) 2つ以上で全てではない可能な宛先またはアクセス端末を含むことができる。しかし、マルチキャストグループがユニキャストと同様に1つのアクセス端末だけを備えている、または別の方法ではマルチキャストグループが、ブロードキャストと同様に(例えば、所与のセル内などに)全てのアクセス端末を備えていることが特定の状況では少なくとも可能である。
【０００８】
ブロードキャストおよび/またはマルチキャストは、マルチキャストグループに対応するために複数の順次ユニキャスト操作を行うこと、同時に複数のデータ伝達を処理するために独自のブロードキャスト/マルチキャストチャネル(BCH)を割り当てることなどのいくつかの方法で、無線通信システム内で行うことができる。プッシュトゥトーク通信用のブロードキャストチャネルを使用した従来のシステムが、「CDMA -EVDOセルラ電話ネットワークを使用したプッシュトゥトークグループコールシステム」という名称の2007年3月1日出願の米国特許出願公開第2007/0049314号に記載されており、その内容全体を本明細書に参照により援用する。公開第2007/0049314号に記載されているように、従来の信号化技術を使用して、ブロードキャストチャネルをプッシュトゥトークコールに使用することができる。ブロードキャストチャネルの使用により、従来のユニキャスト技術を凌いで帯域幅要件を改善することができるが、ブロードキャストチャネルの従来の信号化はさらに、追加のオーバーヘッドおよび/または遅延につながる可能性があり、システム性能が悪化する可能性がある。
【０００９】
第3世代パートナーシッププロジェクト2(「3GPP2」)は、CDMA2000ネットワーク内のマルチキャスト通信をサポートするために、ブロードキャスト/マルチキャストサービス(BCMCS)仕様を規定している。したがって、2006年2月14日付の「CDMA2000高速レートブロードキャスト/マルチキャストパケットデータエアインターフェイス仕様」という名称の3GPP2のBCMCS仕様のバージョン、バージョン1.0 C.S0054-Aが全体的に、本明細書に参照により援用されている。
【先行技術文献】
【特許文献】
【００１０】
【特許文献１】米国特許出願公開第2007/0049314号
【発明の概要】
【課題を解決するための手段】
【００１１】
アクセスネットワーク(AN)は、アクセス端末(AT)への伝達のためにコールアナウンスメッセージを受信する。ANは受信したコールアナウンスメッセージに応じて、ANとATの間の少なくとも1つのチャネルに対して物理層同期処理を開始し、物理層同期処理は専用チャネル状態へのアクセス端末の移行に関連している。ANは、メッセージをATに送信することによって開始を行う。メッセージに応じて、ATはコールアナウンスメッセージの受信用のダウンリンクチャネルを監視する。ANはその後、ダウンリンクチャネル上でコールアナウンスメッセージをアクセス端末に伝達し、ATは監視によりコールアナウンスメッセージを受信する。コールアナウンスメッセージは、(i)物理層同期処理が完了する前、または(ii)専用チャネル状態移行の完了を示す再構成完了メッセージの伝達の前のいずれかに伝達される。
【００１２】
添付の図面と合わせて検討した場合、以下の詳細な説明を参照することによってよりよく理解されるので、本発明の実施形態およびそれに付随する利点の多くのより完全な理解が容易に得られるであろう。添付の図面は、単に例示的なものであって、本発明を限定するものではない。
【図面の簡単な説明】
【００１３】
【図１】本発明の少なくとも1つの実施形態による、アクセス端末およびアクセスネットワークをサポートする無線ネットワークアーキテクチャの図である。
【図２Ａ】本発明の実施形態による、図1のコアネットワークを示す図である。
【図２Ｂ】図1の無線通信システム100の例をより詳細に示す図である。
【図３】本発明の少なくとも1つの実施形態による、アクセス端末の図である。
【図４Ａ】本発明の少なくとも1つの実施形態による、サーバ仲裁通信セッションのセットアップのプロセスを示す図である。
【図４Ｂ】本発明の少なくとも1つの実施形態による、サーバ仲裁通信セッションのセットアップのプロセスを示す図である。
【図５Ａ】本発明の少なくとも1つの実施形態による、W-CDMAシステム内でターゲットアクセス端末にサーバ仲裁通信セッションをアナウンスするプロセスを示す図である。
【図５Ｂ】本発明の少なくとも1つの実施形態による、W-CDMAシステム内でターゲットアクセス端末にサーバ仲裁通信セッションをアナウンスする代替プロセスを示す図である。
【図６Ａ】本発明の少なくとも1つの実施形態による、3GPPリリース6により実施される、図5Aのプロセスを示す図である。
【図６Ｂ】本発明の少なくとも1つの実施形態による、3GPPリリース99により実施される、図5Aのプロセスを示す図である。
【図６Ｃ】本発明の別の実施形態による、3GPPリリース99により実施される、図5Aのプロセスを示す図である。
【発明を実施するための形態】
【００１４】
本発明の態様は、本発明の特定の実施形態を対象とした以下の説明および関連する図面に開示されている。本発明の範囲から逸脱することなく、代替実施形態を考えることができる。加えて、本発明の関連する詳細を不鮮明にしないように、本発明のよく知られている要素を詳細に説明しない、または省略する。
【００１５】
「例示的な」および/または「例」という語は、本明細書では、「実例、例、または例示として働く」ことを意味するために使用される。「例示的」および/または「例」として本明細書で記載されたあらゆる実施形態は、他の実施形態より好ましいまたは有利なものとして必ずしも解釈されるものではない。同様に、「本発明の実施形態」という用語は、本発明の全ての実施形態が、論じられた特性、利点または動作モードを含むことを要求するものではない。
【００１６】
さらに、多くの実施形態が、例えば計算デバイスの要素によって行われる動作のシーケンスに関して記載されている。本明細書に記載された様々な動作は、特定の回路(例えば、特定用途向け集積回路(ASIC))によって、1つまたは複数のプロセッサによって実行されるプログラム指示によって、または両方の組合せによって行うことができることが理解されよう。加えて、本明細書に記載されたこれらの動作のシーケンスは、実行の際に、関連するプロセッサに本明細書に記載された機能を行わせる対応する一組のコンピュータ指示を中に記憶したあらゆる形のコンピュータ読取可能な記憶媒体内で全体的に具体化されると考えることができる。したがって、本発明の様々な態様を多くの異なる形態で具体化することができ、その全ては請求する主題の範囲内であると考えられている。加えて、本明細書に記載された各実施形態では、このようなあらゆる実施形態の対応する形態を、本明細書では例えば、記載した動作を行う「ように構成されたロジック」と記載することができる。
【００１７】
本明細書ではアクセス端末(AT)またはユーザ機器(UE)と呼ばれる、高速データレート(HDR)加入者局は、移動または固定であってもよく、1つまたは複数のアクセスポイント(AP)と通信することができる。例えば、APはHDR基地局に対応する可能性があり、本明細書ではモデムプール送受信機(MPT)または基地局(BS)、ノードBおよび他の等価の用語と呼ぶことができる。アクセス端末またはUEは、APの1つまたは複数を通してAPコントローラにデータパケットを伝達し、これを受信する。例えば、APコントローラはHDR基地局コントローラに対応する可能性があり、モデムプールコントローラ(MPC)、基地局コントローラ(BSC)、移動切換センタ(MSC)、無線ネットワークコントロール(RNC)および他の等価の用語と呼ぶことができる。APおよびAPコントローラは、無線アクセスネットワーク(RAN)と呼ばれるネットワークの一部である。無線アクセスネットワークは、多数のアクセス端末間で音声およびデータパケットを輸送することができる。
【００１８】
無線アクセスネットワークをさらに、無線アクセスネットワーク外の追加のネットワークに接続することができ、このようなコアネットワークは特定のキャリア関連サーバおよびデバイス、および企業イントラネット、インターネット、公衆交換電話網(PSTN)などの他のネットワークへの接続性を含んでおり、無線アクセスネットワークは、各アクセス端末とこのようなネットワークの間で音声およびデータパケットを輸送することができる。1つまたは複数のAPとのアクティブトラフィックチャネル接続を確立したアクセス端末は、アクティブアクセス端末と呼ぶことができ、トラフィック状態にあると言うことができる。1つまたは複数のAPとのアクティブトラフィックチャネル(TCH)接続を確立するプロセスにあるアクセス端末は、接続セットアップ状態にあると言うことができる。アクセス端末は、無線チャネルを通して、または有線チャネルを通して通信するあらゆるデータデバイスであってもよい。アクセス端末はさらに、これに限らないが、PCカード、コンパクトフラッシュ（登録商標）デバイス、外部または内部モデム、または無線または有線電話を含む多くのタイプのデバイスのいずれであってもよい。アクセス端末がこれを通して信号をAPに送信する通信リンクは、アップリンクチャネル(例えば、逆方向トラフィックチャネル、制御チャネル、アクセスチャネルなど)と呼ばれる。APがこれを通して信号をアクセス端末に送信する通信リンクは、ダウンリンクチャネル(例えば、ページングチャネル、制御チャネル、放送チャネル、順方向トラフィックチャネルなど)と呼ばれる。本明細書で使用されるように、トラフィックチャネル(TCH)という用語は、アップリンク/逆方向またはダウンリンク/順方向トラフィックチャネルのいずれかのことを言うことができる。
【００１９】
図1は、本発明の少なくとも1つの実施形態による、無線通信システム100の1つの例示的実施形態のブロック図を示している。システム100は、パケット切換データネットワーク(例えば、イントラネット、インターネット、および/またはコアネットワーク126)とアクセス端末102、108、110、112の間のデータ接続性を与えるネットワーク機器にアクセス端末102を接続することができる、アクセスネットワークまたは無線アクセスネットワーク(RAN)120とエアインターフェイス104にわたって通信する、セルラ電話102などのアクセス端末またはUEを含むことができる。ここに示すように、アクセス端末はセルラ電話102、携帯情報端末108、ここでは双方向テキストポケットベルとして示されたポケットベル110、または無線通信ポータルを有する別のコンピュータプラットフォーム112であってもよい。本発明の実施形態はしたがって、無線通信ポータルを含む、またはこれに限らないが、無線モデム、PCMCIAカード、パソコン、電話、またはその任意の組合せまたはサブ組合せを含む無線通信能力を有する、あらゆる形のアクセス端末で実現させることができる。さらに、本明細書で使用するように、用語「アクセス端末」、「ＡＴ」、「ユーザ機器」、「UE」、「無線デバイス」、「クライアントデバイス」、「セルラ端末」、「移動局」、およびその変更形態は交換可能に使用することができる。
【００２０】
再び図1を参照すると、無線通信システム100の構成要素、および本発明の例示的実施形態の要素の相関関係は、図示した構成に限るものではない。システム100は、単に例示的ものであり、無線クライアント計算デバイス102、108、110、112などの遠隔アクセス端末が互いの間で、および/またはこれに限らないが、コアネットワーク126、インターネット、PSTNおよび/または他の遠隔サーバを含む、エアインターフェイス104とRAN120を介して接続された構成要素の間で無線で通信することを可能にするあらゆるシステムを含むことができる。
【００２１】
RAN120は、APコントローラ122(例えば、EV-DOでの基地局コントローラ/パケット制御機能(BSC/PCF)、W-CDMAでのRNCなど)に送信された(典型的には、データパケットとして送信された)メッセージを制御する。APコントローラ122は、パケットサービスノード(例えば、1xEV-DOでのパケットデータサービスノード(PDSN)、W-CDMAでのサービング汎用パケット無線サービス(GPRS)サポートノード(SGSN)など)とアクセス端末102/108/110/112の間のベアラチャネル(すなわち、データチャネル)を信号化、確立および崩壊させる任を負う。リンク層暗号化が可能である場合、APコントローラ122はまた、エアインターフェイス104上でこれを転送する前にコンテンツを暗号化する。APコントローラ122の機能は、当技術分野でよく知られており、簡潔さのためにさらには論じない。コアネットワーク126は、ネットワーク、インターネットおよび/または公衆交換電話網(PSTN)によってAPコントローラ122と通信することができる。別の方法では、BSC/PCF122は、インターネットまたは外部ネットワークに直接接続することができる。典型的には、コアネットワーク126とAPコントローラ122の間のネットワークまたはインターネット接続はデータを転送し、PSTNは音声情報を転送する。APコントローラ122は、多数のAP124に接続させることができる。コアネットワーク126と同様の方法で、APコントローラ122は典型的には、データ転送および/または音声情報のために、ネットワーク、インターネットおよび/またはPSTNによってAP124に接続されている。AP124は、セルラ電話102などのアクセス端末にデータメッセージを無線で放送することができる。AP124、APコントローラ122および他の構成要素は、当技術分野で知られているように、RAN120を形成することができる。しかし、代替構成を使用することもでき、本発明は図示した構成に限るものではない。例えば、別の実施形態では、APコントローラ122の機能性、およびAP124の1つまたは複数を、APコントローラ122およびAP124の両方の機能性を有する単一の「ハイブリッド」モジュールに崩壊させることができる。
【００２２】
図2Aは、本発明の実施形態によるコアネットワーク126を示している。特に、図2Aは、W-CDMAシステム内で実施された汎用パケット無線サービス(GPRS)コアネットワークの構成要素を示している。図2Aの実施形態では、コアネットワーク126は、サービングGPRSサポートノード(SGSN)160、ゲートウェイGPRSサポートノード(GGSN)165、およびインターネット175を含んでいる。しかし、インターネット175の部分、および/または他の構成要素を代替実施形態ではコアネットワークの外側に置くことができることが分かる。
【００２３】
普通、GPRSは、インターネットプロトコル(IP)パケットを伝達するためのグローバルシステムフォーモバイル通信(GSM（登録商標）)電話によって使用されるプロトコルである。GPRSコアネットワーク(例えば、GGSN165および1つまたは複数のSGSN160)は、GPRSシステムの集中部であり、またW-CDMAベースの3Gネットワークに対するサポートを与える。GPRSコアネットワークは、GSM（登録商標）コアネットワークの一体部であり、GSM（登録商標）およびW-CDMAネットワーク内でIPパケットサービス用移動性管理、セッション管理および輸送を行う。
【００２４】
GPRSトンネルプロトコル(GTP)は、GPRSコアネットワークの規定IPプロトコルである。GTPは、GGSN165での1つの位置からであるように、GSM（登録商標）またはW-CDMAネットワークのエンドユーザ(例えば、アクセス端末)がインターネットに接続し続けながら、場所から場所へ移動することを可能にするプロトコルである。これは、加入者のセッションを処理している、GGSN165まで加入者の現在のSGSN160から加入者のデータを転送することによって達成される。
【００２５】
GTPの3つの形態、すなわち(i)GTP-U、(ii)GTP-Cおよび(iii)GTP'(GTPプライム)がGPRSコアネットワークによって使用される。GTP-Uは、各パケットデータプロトコル(PDP)コンテクスト用の個別のトンネル内のユーザデータの転送のために使用される。GTP-Cは、制御信号化(例えば、PDPコンテクストのセットアップおよび削除、GSN到達可能性の検証、加入者が1つのSGSNから別のものに移動するときなどの更新または改変など)に使用される。GTP'は、GSNから課金機能への課金データの転送のために使用される。
【００２６】
図2Aを参照すると、GGSN165は、GPRSバックボーンネットワーク(図示せず)と外部パケットデータネットワーク175の間のインターフェイスとして働く。GGSN165は、SGSN160から来るGPRSパケットから関連するパケットデータプロトコル(PDP)フォーマット(例えば、IPまたはPPP)を有するパケットデータを抽出し、対応するパケットデータネットワーク上でパケットを発信する。他の方向では、入ってくるデータパケットは、GGSN165によって、RAN120によってサーブされる宛先ATの無線アクセスベアラ(RAB)を管理および制御するSGSN160に案内される。それによって、GGSN165は、ターゲットATの現在のSGSNアドレスおよび自分のプロフィールをその位置レジスタ(例えば、PDPコンテクスト内)に記憶する。GGSNは、IPアドレス割当を行う任を負い、接続されたAT用のデフォルトルータである。GGSNはまた、認証および課金機能を行う。
【００２７】
SGSN160は、例では、コアネットワーク126内の多くのSGSNの1つを代表するものである。各SGSNは、関連する地理的サービスエリア内で移動局またはATからおよびそこへのデータパケットの運搬を行う任を負う。SGSN160のタスクは、パケットルーティングおよび転送、移動性管理(例えば、取付け/取外しおよび位置管理)、論理リンク管理、および認証および課金機能を含んでいる。SGSNの位置レジスタは、SGSN160に登録された全てのGPRSユーザの位置情報(例えば、現在のセル、現在のVLR)およびユーザプロフィール(例えば、パケットデータネットワークで使用されるIMSI、PDPアドレス)を、例えば各ユーザまたはATに対する1つまたは複数のPDPコンテクスト内に記憶する。したがって、SGSNは、(i)GGSN165からダウンリンクGTPパケットを脱トンネル(de-tunneling)し、(ii)GGSN165に向かってIPパケットをアップリンクトンネルし、(iii)ATがSGSNサービスエリア間を移動するときに移動性管理を行い、(iv)セルラ加入者に課金する任を負う。当業者に分かるように、(i)〜(iv)とは別に、GSM（登録商標）/EDGEネットワーク用に構成されたSGSNは、W-CDMAネットワーク用に構成されたSGSNと比べて僅かに異なる機能を有する。
【００２８】
RAN120(例えば、または汎用移動電気通信システム(UMTS)システムアーキテクチャ内のUTRAN)は、フレームリレーまたはIPなどの伝達プロトコルで、Iuインターフェイスを介してSGSN160と通信する。SGSN160は、SGSN160と他のSGSN(図示せず)と内部GGSNの間のIPベースのインターフェイスであるGnインターフェイスを介してGGSN165と通信し、上に規定したGTPプロトコル(例えば、GTP-U、GTP-C、GTP'など)を使用する。図2Aには図示しないが、Gnインターフェイスはまた、ドメイン名システム(DNS)によって使用される。GGSN165は、直接、または無線アプリケーションプロトコル(WAP)ゲートウェイを通してのいずれかで、IPプロトコルとのGiインターフェイスを介してパブリックデータネットワーク(PDN)(図示せず)に、その後、インターネットに175に接続される。
【００２９】
PDPコンテクストは、SGSN160、およびATがアクティブGPRSセッションを有する場合に、特定のATの通信セッション情報を含んでいるGGSN165の両方に存在するデータ構造である。ATがGPRS通信セッションを開始したい場合、ATは最初に、SGSN160に取り付けなければならず、その後、GGSN165でPDPコンテクストをアクティブにする。これにより、加入者が現在訪れているSGSN160、およびATのアクセスポイントをサーブするGGSN165内にPDPコンテクストデータ構造を割り当てる。
【００３０】
図2Bは、図1の無線通信システム100の例をより詳細に示している。特に、図2Bを参照すると、AT1…Nは、異なるパケットデータネットワークエンドポイントによって提供される位置でRAN120に接続しているように示されている。図2Bの例示は、W-CDMAおよび1xEV-DOシステムの両方に一般的である。したがって、AT1および3は、第1のパケットデータネットワークエンドポイント162(例えば、PDSN、SGSN、GGSN BSN、ホームエージェント(home agent)(HA)、外部エージェント(foreign agent)(FA)などに対応し得る)によってサーブされる部分でRAN120に接続する。第1のパケットデータネットワークエンドポイント162はその後、ルーティングユニット188を介して、インターネット175、および/または認証、認可およびアカウンティング(AAA)サーバ182、プロビジョニングサーバ184、インターネットプロトコル(IP)マルチメディアサブシステム(IMS)/セッション開始プロトコル(SIP)登録サーバ186および/またはアプリケーションサーバ170の1つまたは複数に接続する。AT2および5…Nは、第2のパケットデータネットワークエンドポイント164(例えば、PDSN、BSN、FA、HA、SGSN、GGSNなど)によってサーブされる部分でRAN120に接続する。第1のパケットデータネットワークエンドポイント162と同様に、第2のパケットデータネットワークエンドポイント164はその後、ルーティングユニット188を介して、インターネット175、および/またはAAAサーバ182、プロビジョニングサーバ184、IMS/SIP登録サーバ186および/またはアプリケーションサーバ170に接続する。AT4は、インターネット175に直接接続し、インターネット175を通して、その後、上に記載したシステム構成部品のいずれかに接続することができる。
【００３１】
図2Bを参照すると、AT1、3および5…Nは、無線セルラ電話として示されており、AT2は無線タブレットPCとして示されており、AT4は有線デスクトップ局として示されている。しかし、他の実施形態では、無線通信システム100はどのタイプのATに接続することができ、図2Bに示す例は、システム内で実施することができるATのタイプを限定することを意図したものではないことが分かるであろう。また、AAA182、プロビジョニングサーバ184、IMS/SIP登録サーバ186、およびアプリケーションサーバ170はそれぞれ、構造的に別のサーバとして示されているが、これらのサーバの1つまたは複数は本発明の少なくとも1つの実施形態で確立することができる。
【００３２】
さらに、図2Bを参照すると、アプリケーションサーバ170は、複数のメディア制御複合体(MCC)1…N 170B、および複数の地域ディスパッチャ(regional dispatcher) 1…N 170Aを含んでいるように示されている。集合的に、地域ディスパッチャ170AおよびMCC170Bは、少なくとも1つの実施形態で無線通信システム100内で通信セッション(例えば、IPユニキャスティングおよび/またはIPマルチキャスティングプロトコルを介した半二重グループ通信セッション)を仲裁するように集合的に働くサーバの分散型ネットワークに対応することができる、アプリケーションサーバ170内に含まれる。例えば、アプリケーションサーバ170によって仲裁される通信セッションは論理的には、システム100内のどこに配置されたATの間でも起こる可能性があるので、多数の地域ディスパッチャ170AおよびMCCが分散されて、仲裁された通信セッションに対する待ち時間を少なくする(例えば、それによって北アメリカのMCCが中国に置かれたセッション参加者間でメディアを行ったり来たり中継していない)。したがって、アプリケーションサーバ170に言及する場合、関連する機能は地域ディスパッチャ170Aの1つまたは複数、および/またはMCC170Bの1つまたは複数によって実行させることができることが分かるであろう。地域ディスパッチャ170Aは普通、通信セッションの確立(例えば、AT間の信号化メッセージの処理、スケジューリング、および/またはアナウンスメッセージの送信など)に関連する任意の機能を行う任を負い、MCC170Bは、仲裁された通信セッション中のインコール信号化およびメディアの実際の交換を行うことを含む、コールインスタンスの持続時間に対する通信セッションのホスティングを行う任を負う。
【００３３】
図3を参照すると、セルラ電話などのアクセス端末またはUE200(ここでは無線デバイス)は、コアネットワーク126、インターネット、および/または他の遠隔サーバおよびネットワークから最終的に来る可能性があるRAN120から伝達されたソフトウェアアプリケーション、データおよび/またはコマンドを受信および実行することができるプラットフォーム202を有する。プラットフォーム202は、特定用途向け集積回路(「ASIC」208)に動作可能に結合された送受信機206、または他のプロセッサ、マイクロプロセッサ、論理回路、または他のデータ処理デバイスを含むことができる。ASIC208または他のプロセッサは、無線デバイスのメモリ212内のあらゆる常駐プログラムとインターフェイス接続するアプリケーションプログラミングインターフェイス(「API」)210層を実行する。メモリ212は、読取専用またはランダムアクセスメモリ(RAMおよびROM)、EEPROM、フラッシュカード、またはコンピュータプラットフォームに共通する任意のメモリからなることができる。プラットフォーム202はまた、メモリ212内でアクティブに使用されていないアプリケーションをホールドにすることができるローカルデータベース214を含むことができる。ローカルデータベース214は典型的には、フラッシュメモリセルであるが、磁気媒体、EEPROM、光学媒体、テープ、ソフトまたはハードディスクなどの、当技術分野で知られているあらゆる二次記憶デバイスであってもよい。内部プラットフォーム202構成要素はまた、当技術分野で知られているように、他の構成部品のうちアンテナ222、ディスプレイ224、プッシュトゥトークボタン228、およびキーパッド226などの外部デバイスに動作可能に結合させることができる。
【００３４】
したがって、本発明の実施形態は、本明細書で記載した機能を行う能力を含むアクセス端末を含むことができる。当業者は分かるように、様々な論理素子を個別素子、プロセッサ上で実行されるソフトウェアモジュール、または本明細書に開示された機能を達成するソフトウェアおよびハードウェアのあらゆる組合せ内で具体化させることができる。例えば、ASIC208、メモリ212、API210およびローカルデータベース214は全て、本明細書で開示された様々な機能をロード、記憶および実行するために協働して使用することができ、したがって、これらの機能を行うためのロジックを様々な素子の上で分散させることができる。別の方法では、機能を1つの個別構成要素に組み込むことができる。したがって、図3のアクセス端末の機構は単に例示的なものであると考えられ、本発明は図示した機構または配置に限るものではない。
【００３５】
アクセス端末102とRAN120の間の無線通信は、符号分割多元接続(CDMA)、W-CDMA、時分割多元接続(TDMA)、周波数分割多元接続(FDMA)、直交周波数分割多重(OFDM)、グローバルシステムフォーモバイル通信(GSM（登録商標）)、または無線通信ネットワークまたはデータ通信ネットワーク内で使用することができる他のプロトコルなどの異なる技術に基づくことができる。例えば、W-CDMAでは、データ通信は典型的には、クライアントデバイス102、AP124、およびAPコントローラ122(例えば、RNC122)の間にある。APコントローラ122またはRNC122は、コアネットワーク126、PSTN、インターネット、バーチャルプライベートネットワークなどの多数のデータネットワークに接続させて、それによってアクセス端末102がより広い通信ネットワークへアクセスすることが可能になる。前述に論じ、当技術分野で知られているように、様々なネットワークおよび構成を使用して、音声伝達および/またはデータをRANからアクセス端末に伝達することができる。したがって、本明細書で提供した例示は、本発明の実施形態を限定することを意図したものではなく、単に本発明の実施形態の態様の説明を助けるためのものである。
【００３６】
以下では、本発明の実施形態は全体的に、W-CDMAプロトコルおよび関連する専門用語(例えば、EV-DO内のBSCと対比してRNC、またはEV-DO内のBSまたはMPT/BSと対比してノードBなど)により説明されている。しかし、本発明の実施形態をどのようにW-CDMA以外の無線通信プロトコルと共に適用させることができるかは、当業者にはすぐに分かるであろう。
【００３７】
従来のサーバ仲裁通信セッション(例えば、半二重プロトコル、全二重プロトコル、VoIP、IPユニキャスト上のグループセッション、IPマルチキャスト上のグループセッション、プッシュトゥトーク(PTT)セッション、プッシュトゥトランスファ(PTX)セッションなど)では、セッションまたはコールオリジネータは、通信セッションを開始する要求をアプリケーションサーバ170に送信し、アプリケーションサーバ170は、その後、コールの1つまたは複数のターゲットへの伝達のために、コールアナウンスメントメッセージをRAN120に転送する。分かるように、時間センシティブアプリケーション(例えば、PTTコール)では、アナウンスメッセージはできるだけ迅速に1つまたは複数のターゲットによって受信されることが重要である。
【００３８】
アクセス端末またはユーザ機器(UE)は、汎用移動電気通信サービス(UMTS)地上無線アクセスネットワーク(UTRAN)(例えば、RAN120)では、アイドルモードまたは接続モードのいずれかにある可能性がある。以下では、RAN120およびATに言及しているが、UMTSに適用される場合、この専門用語はそれぞれUTRANおよびUEのことを言うために使用することができることが分かる。
【００３９】
無線リソース制御(RRC)接続モードの間のAT移動性およびアクティビティに基づいて、RAN120は、多くのRRCサブ状態、すなわちCELL_PCH、URA_PCH、CELL_FACH、およびCELL_DCH状態の間で移行するようにATに命令することができる。これらの状態は以下を特徴とし得る。
-CELL_DCH状態では、専用物理チャネルがアップリンクおよびダウンリンク内のATに割り当てられ、ATはその現在のアクティブセットによるセルレベル上で知られており、ATは割り当てられた専用輸送チャネル、ダウンリンクおよびアップリンク(TDD)共有輸送チャネルであり、これらの輸送チャネルの組合せをATによって使用することができる。
-CELL_FACH状態では、専用物理チャネルはATに割り当てられておらず、ATは順方向アクセスチャネル(FACH)を連続して監視し、ATは輸送チャネル用のアクセス処理によりATが伝達することができるアップリンク内のデフォルト共通または共有輸送チャネル(例えば、チャネルを取得し、伝達パワーを調節するようにパワー増加処理でのコンテンションベースのチャネルである、ランダムアクセスチャネル(RACH))が割り当てられ、ATの位置はATが最後に前のセル更新を行ったセルにより、セルレベル上でRAN120に知られており、TDDモードでは、1つまたはいくつかのUSCHまたはDSCH輸送チャネルを確立することができる。
-CELL_PCH状態では、専用物理チャネルはATに割り当てられておらず、ATはアルゴリズムでPCHを選択し、関連するPICHを介して選択したPCHを監視するためにDRXを使用し、アップリンクアクティビティが可能ではなく、ATの位置はATがCELL_FACH状態で最後にセル更新を行ったセルにより、セルレベル上でRAN120に知られる。
-URA_PCH状態では、専用チャネルはATに割り当てられておらず、ATはアルゴリズムでPCHを選択し、関連するPICHを介して選択したPCHを監視するためにDRXを使用し、アップリンクアクティビティが可能ではなく、ATの位置は、CELL_FACH状態の最後のURA更新中にATに割り当てられたUTRAN登録領域(URA)により、登録領域レベルでRAN120に知られている。
【００４０】
したがって、URA_PCH状態(またはCELL_PCH状態)は、休止(dormant)状態に対応し、その状態では、ATは、定期的に目覚めてページングインジケータチャネル(PICH)および、必要があれば、関連するダウンリンクページングチャネル(PCH)をチェックし、CELL_FACH状態に入って以下のイベント、すなわち、セル再選択、定期的セル更新、アップリンクデータ伝達、ページング応答、およびサービスエリア再選択のために、セル更新メッセージを送信することができる。CELL_FACH状態では、ATは、ランダムアクセスチャネル上でメッセージを送信することができ、順方向アクセスチャネル(FACH)を監視することができる。FACHは、RAN120からのダウンリンク通信を搬送し、二次共通制御物理チャネル(S-CCPCH)にマッピングされる。CELL_FACH状態から、ATは、CELL_FACH状態でのメッセージングに基づいてトラフィックチャネル(TCH)が得られた後、CELL_DCH状態に入ることができる。
【００４１】
サーバ仲裁通信セッションをこれによってセットアップすることができるプロセスは、図4Aおよび4Bに関して記載されている。特に、図4Aおよび4Bは、システム100が広帯域符号分割多元接続(W-CDMA)を使用する汎用移動電気通信システム(UMTS)に対応する、サーバ仲裁セッションセットアッププロセスを示している。しかし、当業者は、どのように図4Aおよび4BをW-CDMA以外のプロトコルによる通信セッションを対象とするために改変することができるかが分かるであろう。
【００４２】
図4Aを参照すると、400では所与のAT(「AT1」)はURA_PCH状態にある。AT1がURA_PCH状態にある場合、404ではAT1のユーザは通信セッション(例えば、PTTセッションまたは他の時間センシティブまたは遅延センシティブ通信セッション)の開始を要求する。したがって、408でAT1はCELL_FACH状態に移行し、412でAT1はAT1のUTRAN無線ネットワーク一時識別子(RNTI)(U-RNTI)を含むRACH上でセル更新メッセージを送信する。U-RNTIは当技術分野ではよく知られており、RAN120の単一のRNCによって制御される特定のサブネットまたは一組のセクタ内でATを独自に識別するATに(例えば、電源入力中、または新しいRNCサービング領域への移行の際に)割り当てられた識別子に対応する。
【００４３】
416では、RAN120は、DPCHに専用物理チャネルを割り当てるセル更新確認メッセージを構成および伝達し、また、E-DCHがアップリングデータ伝達のためにAT1によって使用される場合、E-DCH無線ネットワーク一時識別子(E-RNTI)でE-DCHに専用物理チャネルを割り当てることができる。
【００４４】
次に、AT1およびRAN120はL1同期処理に関与している。例えば、L1同期処理はアップリンクおよびダウンリンク専用物理制御チャネル(DPCCH)上で起こる可能性がある。DPCCHは物理チャネルであり、その上で信号化がAT1によってアップリンク方向、およびRAN120によってダウンリンク方向の両方に伝達される。したがって、L1同期処理中、420でRAN120はダウンリンクDPCCH上の信号化メッセージをAT1に送信し、424でAT1はアップリンクDPCCH上の信号化メッセージをRAN120に送信する。別の方法では、ダウンリンク上のL1同期処理は、3GPPリリース6内に案内された分数専用物理チャネル(Fractional Dedicated Physical Channel)(F-DPCH)上で行うことができる。F-DPCHは、RAN120のノードB124が単一の垂直変数拡散因数(Orthogonal Variable Spreading Factor)(OVSF)コードを使用してDPCCH信号化を10人のユーザまで時分割多重化することを可能にし、それによってダウンリンク上でのOVSFコードの利用が改善される。F-DPCHは、HS-DSCHが構成され、DCHが構成されていない場合に使用することができる。したがって、F-DPCHが利用可能である場合、UEまたはAT200は普通、F-DPCH上でL1同期処理を行おうと試みる。
【００４５】
L1同期処理が完了した場合、428でAT1はCELL_DCH状態に移行し、432ではアップリンクDCHまたはE-DCH上でRAN120にセル更新確認応答メッセージ(例えば、無線ベアラ、輸送チャネルまたは物理チャネルが416のセル更新確認メッセージ内で再構成される上位層であるかどうかに基づいて、無線ベアラ再構成完了メッセージ、輸送チャネル再構成完了メッセージおよび/または物理チャネル再構成完了メッセージ)を伝達する。AT1はここでE-DCHへのアクセスを有するので、436でAT1はまた、DCHまたはE-DCH上のコール要求メッセージをRAN120に送信し、440でRAN120はコール要求メッセージをアプリケーションサーバ170に転送する。444でアプリケーションサーバ170は、コール要求メッセージを処理し、ターゲットAT2に通信セッションをアナウンスするためのアナウンスメッセージを生成し、アナウンスメッセージをRAN120に転送する。
【００４６】
当業者には分かるように、RAN120はアプリケーションサーバ170からコールアナウンスメッセージを受信したすぐ後に、アナウンスメッセージをAT2に簡単に伝達することができない。むしろ、448でRAN120は次のDRXサイクルまたはページングサイクルを待ち、ここでターゲットAT2はページを監視することが予測されている。説明を簡単にするために、452ではAT2はこの点ではURA_PCH状態にあると仮定することができる。図4Aおよび4Bに示されていないが、AT2が既にアクティブトラフィックチャネル(TCH)を有している場合、RAN120は既に割り当てられたTCH上でアナウンスメッセージを簡単に送信することができる。
【００４７】
RAN120がAT2のDRXサイクルまたはページングサイクルを待った後に、456でRAN120はAT2それぞれにタイプ1ページメッセージを伝達する。当業者には分かるように、タイプ1ページメッセージは、(AT2はURA_PCH状態にあると仮定されるのでまだ利用可能ではない)ダウンリンクDCHまたはFACHに対応するタイプ2ページメッセージと対比して、ダウンリンクページングチャネル(PCH)に送信されるページに対応する。当業者には分かるように、UEがCELL_DCHまたはCELL_FACH状態にある場合、RAN120のUTRAN RRC層は、DCHまたはFACHチャネル上でページングタイプ2メッセージを伝達することによって、UEをページングする。ページングタイプ1と同様に、UEのRRC層は上位層にコアネットワーク(CN)ドメインおよびページング要因を知らせる。ページングタイプ2は、第2のコールを運ぶために使用され、UEは別のコール(例えば、同時音声およびデータ)では既にアクティブである。
【００４８】
ページメッセージを受信すると、460でAT2はCELL_FACH状態に移行し、463でAT2はAT2用のU-RNTIを含むRACH上でセル更新メッセージを送信する。466では、RAN120は、DCHに専用物理チャネルを割り当てるセル更新確認メッセージを構成および伝達し、また、E-DCHがアップリンクデータ伝達のためにAT2によって使用される場合に、E-RNTIでE-DCHに専用物理チャネルを割り当てることができる。
【００４９】
466ではセル更新確認メッセージを受信すると、AT2およびRAN120は(例えば、420および424と同様に)DPCCHまたはF-DPCH上のL1同期処理に携わる。したがって、例では、同期処理中に、469でRAN120はダウンリンクDPCCH上の信号化メッセージをAT2に送信し、472でAT1はアップリンクDPCCH上の信号化メッセージをRAN120に送信する。例えば、リリース6で開始し、セル更新確認メッセージが復号化されるとすぐにアップリンクL1同期のために、472ではポスト検証(別名、高速L1同期)特性が導入されて、ATがアップリンクDPCCH伝達を開始するのが容易になった。また、上に論じたように、別の方法では、HS-DSCHが構成され、DCHがATに構成されないときに、ATがL1同期処理に携わっている場合、OVSF利用を改良するために、ダウンリンク上でのL1同期処理をF-DPCH上で行うことができる。
【００５０】
466でセル更新確認メッセージが受信された後のある点で、475ではAT2はCELL_DCH状態に移行し、478ではAT2はアップリンクE-DCH上でRAN120にセル更新確認応答メッセージ(例えば、無線ベアラ、輸送チャネルまたは物理チャネルが466のセル更新確認メッセージ内で再構成される上位層であるかどうかに基づいて、無線ベアラ再構成完了メッセージ、輸送チャネル再構成完了メッセージおよび/または物理チャネル再構成完了メッセージ)を伝達する。
【００５１】
478でセル更新確認応答メッセージが受信された後のある点で、484でRAN120はHS-DSCH上でAT2にアナウンスメッセージを送信する。例では、3GPPリリース6では、L1同期プロセスの後に、AT2はアップリンク高速DPCCH(HS-DPCCH)上のダウンリンク高速専用共有チャネル(HS-DSCH)のためにAT2で測定された測定信号品質を報告するチャネル品質インジケータ(CQI)を送信し、HS-DPCCH CQIおよび/またはセル更新確認応答メッセージが受信された後にのみ、アナウンスメッセージを送信することができる。代替例では、3GPPリリース99では、478で輸送構成完了メッセージが(例えば、HS-DPCCH CQIなしで)受信された後に、アナウンスメッセージをAT2にダウンリンクDCH上で送信することができる。
【００５２】
アナウンスメッセージを受信した後に、AT2は、(例えば、アナウンスされたコールが緊急コールである場合に)アナウンスメッセージを自動許可することができ、(例えば、AT2が既に別のセッションに携わっている場合に)アナウンスメッセージを自動拒否することができ、またはAT2のユーザがアナウンスされたコールを許可すべきかどうかを判断可能とすることができる。コールを許可するべきかどうかを判断するためにAT2がアナウンスメッセージを処理する間の遅延は、図4Bのブロック487に対応する。説明の都合上、AT2がアナウンスされたコールを許可することを判断し、それによりAT2が490でRAN120にアップリンクE-DCH上でコール許可メッセージを送信し、その後、492でRAN120がコール許可メッセージをアプリケーションサーバ170に転送すると仮定する。AT2からコール許可メッセージを受信すると、アプリケーションサーバ170は492でRAN120にコール状態メッセージを送信し、RAN120は496でHS-DSCH上でAT1にコール状態メッセージを伝達する。コール状態メッセージを受信すると、AT1は498で通信セッションを始めることができることを、AT1のユーザに示すフロア許可トーンを再生する。
【００５３】
当業者には分かるように、図4Aおよび4Bのコールアナウンスメッセージは、(i)L1同期処理が472で完了した、および(ii)セル更新確認応答メッセージがAT2からRAN120に到達した後にのみ、484で送信される。また、図4Aおよび4Bのプロセスは、466におけるAT2でのセル更新確認メッセージ(または、再構成メッセージ)の受信と、478におけるRAN120での再構成完了メッセージの受信(例えば、高速L1同期での)の間の遅延を経験する可能性がある。また、484におけるアナウンスメッセージの伝達と、490におけるAT2からのRAN120でのコール許可メッセージの受信の間に追加の遅延が生じる可能性がある。本発明の実施形態は、AT2にアナウンスメッセージをより迅速に提供することを対象としている。次に、本発明の実施形態の理解を助けるために、様々な3GPP標準を簡単に論じる。
【００５４】
(例えば、リリース5からリリース8までの)3GPP技術仕様(TS) 25.214のセクション4.3.2.3は、所与の同期処理(「同期処理A」)を記載している。セクション4.3.2.3(b)では、3GPP TS 25.214は、「UTRANは、ダウンリンクDPCCHの伝達を開始するものとし、任意のデータが伝達される場合にDPDCHの伝達を開始することができる」と記しており、セクション4.3.2.3(d)では、3GPP TS 25.214は、「アップリンクDPCCH電力制御プリアンブル(preamble)の伝達は、アップリンクDPDCH伝達の開始前にNpcp無線フレームを開始するものとし、NpcpはUTRANによって設定されるより高い層のパラメータである」と記している。
【００５５】
3GPP TS 25.214の上記セクションから、3GPP TS 25.214は、UTRAN(例えば、RAN120)が、ダウンリンクL1同期(すなわち、図4Bのブロック469)が進行中に、専用物理専用チャネル(DPDCH)上でダウンリンクデータを伝達させることを可能とする(すなわち、これを妨げない)ことが分かるであろう。したがって、図6Bおよび6Cに関して以下により詳細に論じるように、これは、ダウンリンクL1同期プロセスが開始した比較的すぐ後に、3GPPリリース99にしたがって、DPDCH上でダウンリンクDCHにアナウンスメッセージを送信することができ、図4Aおよび4Bと同様に、ダウンリンクL1同期プロセスが完了するのを待つ必要がないということである。
【００５６】
また、上記セクションから、3GPP TS 25.214である場合、3GPP TS 25.214により、UTRAN(例えば、RAN120)が、ダウンリンクL1同期(すなわち、図4Bのブロック469)が進行中に、高速専用共有チャネル(HS-DSCH)上でダウンリンクデータを伝達することが可能である(すなわち、これを妨げない)ことがさらに分かるであろう。3GPP TS 25.214により、同期を受けているAT(例えば、AT2)が、アップリンクL1用のDPCCHまたはF-DPCH同期処理がさらに処理中(すなわち、図4Bのブロック472)に、アップリンク高速DPCCH(HS-DPCCH)上で伝達する(例えば、ダウンリンクHS-DSCH伝達に基づいてACK、NAK、および/またはチャネル品質インジケータ(CQI)を送信する)ことが可能である(すなわち、これを妨げない)ことがさらに分かるであろう。したがって、図6Aに関して以下により詳細に論じるように、これは、ダウンリンクL1同期プロセスが開始した比較的すぐ後に、3GPPリリース99にしたがって、AT2がHS-DPCCH CQIを送信した後に、ダウンリンクHS-DSCHにアナウンスメッセージを送信することができ、図4Aおよび4Bと同様に、ダウンリンクL1同期プロセスが完了するのを待つ必要がないということである。別の方法では、図5Bに関してより詳細に以下に論じるように、L1同期プロセスが完了した場合でさえも、セル更新確認応答メッセージ(または、再構成完了メッセージ)を受信する前に、サーブしているノードBはアナウンスメッセージを伝達することができる。
【００５７】
したがって、図5Aは、本発明の実施形態によりアップリンクおよびダウンリンクL1同期処理の完了前に、ならびに/またはセル更新確認応答メッセージの受信前に、通信セッション用アナウンスメッセージをAT2に伝達することができるプロセスを示している。図5Aは、リリース6および/またはリリース99などの、W-CDMA環境での異なる3GPPリリースにわたる実施を含むのに十分幅広い比較的高レベルのフローチャートである。その後、図5Aのより特定の実施が、図6Aでリリース6に対して、図6Bおよび6Cでリリース99に対して図示されている。しかし、図5Aのプロセスは、リリース6およびリリース99より多くのリリースに適用可能であり、これらの特定の3GPPリリース内の図5Aのプロセスの実施が、本発明の実施形態の理解を容易にするために与えられるが、本発明を限定するものではないことが分かるであろう。全体として、図5Aのプロセスを使用して、図4Aおよび4Bのブロック444から490の代わりになることができる。
【００５８】
図5Aを参照すると、アプリケーションサーバ170がコールオリジネータからコール要求メッセージを処理した後に、アプリケーションサーバ170は、ターゲットAT2に通信セッション(例えば、PTTセッション)をアナウンスするアナウンスメッセージを生成し、500においてアナウンスメッセージをRAN120でRNCサーブターゲットAT2に転送する。説明の都合上、505においてAT2はこの点ではURA_PCH状態にあると仮定することができる。図5Aには図示しないが、AT2がアクティブトラフィックチャネル(TCH)を既に有していた場合、RAN120は既に割り当てられたTCH上でアナウンスメッセージを簡単に送信することができる。RAN120でサーブしているRNCは、その後、次のDRXサイクルまたはページングサイクルを待ち、ここで510においてターゲットAT2はページを監視していると予測される。
【００５９】
RAN120でのサーブしているRNCがDRXサイクルまたはページングサイクルAT2を待った後に、サーブしているRNCはタイプ1ページメッセージをAT2のサーブしているノードBに転送し、サーブしているノードBはその後、515においてAT2にダウンリンクPCH上でタイプ1ページメッセージを伝達する。ページメッセージを受信すると、520においてAT2はCELL_FACH状態に移行し、525においてAT2は、サービングしているRNCにサーブしているノードBによってその後に転送される、AT2用のU-RNTIを含むRACH上でセル更新メッセージを送信する。530では、RAN120でのサーブしているRNCは、AT2への伝達のために、サーブしているノードBにセル更新確認メッセージ(または、再構成メッセージ)を構成および転送する。セル更新確認メッセージは、DCHに専用物理チャネルを割り当て、また、E-DCHがアップリンクデータ伝達のためにAT2によって使用される場合に、E-RNTIでE-DCHに専用物理チャネルを割り当てることができる。図5Aのブロック520から530は、それぞれ図4Aおよび4Bのブロック444から466に対応する。533では、サーブしているRNCはまた、AT2への伝達のためにサーブしているノードBにアナウンスメッセージを転送する。
【００６０】
530においてセル更新確認メッセージを受信および処理すると、535においてAT2はCELL_DCH状態にすぐに移行する。したがって、AT2がセル更新確認メッセージを処理する(例えば、チャネル化コードなどの、DCH復号化に必要な情報を抽出する)とすぐに、AT2はリリース99ではダウンリンクDPDCHを復号化または監視し始めることができる。同様に、リリース6では、AT2がセル更新確認メッセージを処理するとすぐに、AT2はダウンリンクHS-DSCHを復号化または監視し始め、またHS-DPCCH(例えば、HS-DPCCH CQI、ACK、NAKなど)上でアップリンクデータを伝達するという選択肢がある。この監視および/または伝達は、DPCCH上でのL1同期プロセスと同時に行われることが分かるであろう。
【００６１】
540では、セル更新確認メッセージ(または、再構成メッセージ)が処理された後に、RAN120およびAT2のサーブしているノードBは、(例えば、図4Bの469および472と同様に)DPCCHおよび/またはF-DPCH上でL1同期処理を開始する。例えば、リリース6で開始し、セル更新確認メッセージが復号化されるとすぐにアップリンクL1同期のために、ポスト検証(別名、高速L1同期)特性が導入されて、ATがアップリンクDPCCH伝達を開始するのが容易になった。したがって、540のL1同期処理中に、RAN120はAT2にダウンリンクDPCCH上で信号化メッセージを送信し、AT2はRAN120にアップリンクDPCCH上で信号化メッセージを送信する。また、上に論じたように、HS-DSCHが構成され、DCHがATで構成されないときに、ATがL1同期処理に携わっている場合、OVSF利用を改良するために、別の方法ではL1同期処理をF-DPCH上で行うことができる。
【００６２】
図5Aでは、L1同期プロセスが完了する前に、545においてRAN120でのサーブしているノードBは、(例えば、リリース99による)DCHの上、または(例えば、HS-DPCCH CQIがAT2から受信された後に、リリース6による)HS-DSCHの上のいずれかで少なくともAT2にアナウンスメッセージを伝達する。例では、リリース6では、545のアナウンスメッセージ伝達をHS-DPCCH CQIによってトリガすることができる。別の例では、またリリース6では、AT2はHS-DPCCH CQIをできるだけ早く(例えば、CQIを計算するための情報が利用可能となるとすぐに)送信するように構成することができる。これを、図6Aに関して以下により詳細に説明する。
【００６３】
別の方法では、図5Bに示すように、545の伝達は、L1同期プロセスが完了した後であるが、AT2がサーブしているノードBにセル更新確認応答メッセージを送信する前に起こる可能性がある。すなわち、図5Aと対比して、図5Bでは、545の伝達をブロック550の後であるが、ブロック555でのセル更新確認応答メッセージの受信前に移動させることができる。図5Bは、ブロック545および550の順序を除いて図5Aに実質的に対応しているので、図5Bのさらなる説明は省略した。また、以下に説明する実施形態は全体的に、図5Bの実施の代わりに図5A実施を対象としており、コールアナウンスは必然的にL1同期完了の前に起こる。しかし、コールアナウンスメッセージ伝達を、L1同期完了の後であるが、RAN120でのセル更新確認メッセージ(または、再構成完了メッセージ)の受信の前に行うことができるように、各実施形態をどのように変更することができるかが簡単に分かるであろう。
【００６４】
次に再び図5Aを参照すると、550においてRAN120およびAT2のサーブしているノードBでのDPCCHおよび/またはF-DPCHが同期されるまで、L1同期プロセスは続く。L1同期処理が完了した後に、AT2はセル更新確認応答メッセージ(例えば、無線ベアラ、輸送チャネルまたは物理チャネルが530のセル更新確認メッセージ内に再構成される上位層であるかどうかに基づいて、無線ベアラ再構成完了メッセージ、輸送チャネル再構成完了メッセージ、および/または物理チャネル再構成完了メッセージ)をRAN120でのサーブしているノードBにDCHまたはE-DCHの上で伝達し、RAN120でのサーブしているノードBは、555でサーブしているRNCにセル更新確認応答メッセージを転送する。
【００６５】
545においてアナウンスメッセージを受信した後に、AT2は、(例えば、アナウンスされたコールが緊急コールである場合に)アナウンスメッセージを自動許可することができ、(例えば、AT2が既に別のセッションに携わっている場合に)アナウンスメッセージを自動拒否することができ、またはAT2のユーザがアナウンスされたコールを許可すべきかどうかを判断可能とすることができる。コールを許可するべきかどうかを判断するためにAT2がアナウンスメッセージを処理する間の遅延は、図5Aのブロック560に対応する。説明の都合上、AT2がアナウンスされたコールを許可することを判断し、それによりAT2がアナウンスされたコールを許可することを判断し、その後、AT2はRAN120でのサーブしているノードBにアップリンクDCHまたはE-DCH上でコール許可メッセージを送信して、RAN120でのサーブしているノードBは、565でコール許可メッセージをサーブしているRNCに転送すると仮定する。
【００６６】
当業者には分かるように、図5Aのプロセスは、530におけるAT2でのセル更新確認メッセージの受信と、555におけるRAN120でのセル更新確認応答メッセージの受信(例えば、高速L1同期での)の間の遅延を経験し、アナウンスメッセージの処理に関連する遅延を少なくすることができる。というのは、これらの遅延はL1同期プロセスと同時(すなわち、並行)して処理されるからである。
【００６７】
特に、図4Aおよび4Bなどの最も従来の実施では、データ(例えば、アナウンスメッセージなど)の初期ダウンリンク伝達は、サーブしているノードBおよび/またはサーブしているRNCでのセル更新確認応答メッセージの受信によってトリガされる。図5Aの実施形態では、ダウンリンクデータ伝達は、セル更新確認応答メッセージがターゲットATによって伝達されるが、L1同期処理の完了前に伝達することができるまで制限されないまたは遅延されない。したがって、図5Aの遅延保存を、(i)Iubの上でサーブしているノードBとサーブしているRNCの間のセル更新確認応答メッセージ(例えば、輸送チャネル再構成完了(TCRC)メッセージ)の逆送遅延、(ii)サーブしているRNCによるセル更新確認応答メッセージの処理、(iii)サーブしているノードBでのアナウンスメッセージの伝達の計画遅延、および(iv)545で受信されたアナウンスメッセージに対するターゲットATでの処理遅延の1つまたは複数に関して見つけることができることが分かるであろう。
【００６８】
図6Aは、本発明の実施形態で3GPPリリース6にしたがって実施された図5Aのプロセスを示している。図6Aを参照すると、ブロック600Aから633Aは、それぞれ図5Aの500から533に対応するが、これ自体は簡潔にするためにさらには論じない。
【００６９】
(例えば、チャネル化コードなどの、HS-DSCH復号化に必要な情報を抽出した後に)630Aにおいてセル更新確認メッセージを受信および処理すると、635AにおいてAT2はすぐにCELL_DCH状態に移行する。したがって、AT2はダウンリンクHS-DSCHを復号化または監視し始め、またHS-DPCCH(例えば、HS-DPCCH CQI、ACK、NAKなど)上でアップリンクデータを伝達するという選択肢がある。この監視および/または伝達は、(例えば、DPCCHおよび/またはF-DPCH上での)L1同期プロセスと同時に行われることが分かるであろう。
【００７０】
640Aでは、セル更新確認メッセージが処理された後に、RAN120およびAT2のサーブしているノードBは、(例えば、図5Aの540と同様に)DPCCHおよび/またはF-DPCH上でL1同期処理を開始する。例えば、リリース6で開始し、セル更新確認メッセージが復号化されるとすぐにL1同期のために、ポスト検証(別名、高速L1同期)特性が導入されて、ATがアップリンクDPCCH伝達を開始するのが容易になった。したがって、640AのL1同期処理中に、RAN120のサーブしているノードBはAT2にダウンリンクDPCCH上で信号化メッセージを送信し、AT2はRAN120のサーブしているノードBにアップリンクDPCCH上で信号化メッセージを送信する。また、上に論じたように、HS-DSCHが構成され、DCHがATで構成されないときに、ATがL1同期処理に携わっている場合、OVSF利用を改良するために、別の方法では、L1同期処理をF-DPCH上で行うことができる。
【００７１】
L1同期プロセスが完了する前に、AT2はHS-DSCH上の十分な数のメッセージを監視し、それによってAT2はAT2で受信されたHS-DSCHメッセージの測定したレベルのチャネル品質を示すCQIを導き出すことができると仮定する。したがって、AT2は645Aにおいて、測定したチャネル品質を報告するために、RAN120のサーブしているノードBにHS-DPCCH上のCQIを送信する。RAN120でのサーブしているノードBはその後、報告されたCQIを使用して、これによってHS-DSCH上でAT2にアナウンスメッセージを送信する、伝達電力レベルおよび/または他の伝達基準を判断することができる。HS-DPCCH CQIを評価した後に、650AにおいてRAN120のサーブしているノードBは、AT2にダウンリンクHS-DSCH上でコールアナウンスメッセージを伝達する。655Aにおいて、AT2は、HS-DPCCH上でHARQ ACKを送信することによって、HS-DSCH上のダウンリンクデータに応答する。
【００７２】
次に、660Aにおいて、RAN120およびAT2のサーブしているノードBでのDPCCHおよび/またはF-DPCHが同期されるまで、L1同期プロセスは続く。L1同期処理が完了した後に、AT2はセル更新確認応答メッセージ(例えば、無線ベアラ、輸送チャネルまたは物理チャネルが630Aのセル更新確認メッセージ内に再構成される上位層であるかどうかに基づいて、無線ベアラ再構成完了メッセージ、輸送チャネル再構成完了メッセージ、および/または物理チャネル再構成完了メッセージ)をRAN120でのサーブしているノードBにアップリンクDCHまたはE-DCHの上で伝達し、RAN120でのサーブしているノードBは、665AでサーブしているRNCにセル更新確認応答メッセージを転送する。
【００７３】
650Aにおいてアナウンスメッセージを受信した後に、AT2は、(例えば、アナウンスされたコールが緊急コールである場合に)アナウンスメッセージを自動許可することができ、(例えば、AT2が既に別のセッションに携わっている場合に)アナウンスメッセージを自動拒否することができ、またはAT2のユーザがアナウンスされたコールを許可すべきかどうかを判断可能とすることができる。コールを許可するべきかどうかを判断するためにAT2がアナウンスメッセージを処理する間の遅延は、図6Aのブロック670Aに対応する。説明の都合上、各AT2がアナウンスされたコールを許可することを判断し、それによりAT2がアナウンスされたコールを許可することを判断し、その後、AT2はRAN120でのサーブしているノードBにアップリンクDCHまたはE-DCH上でコール許可メッセージを送信して、RAN120でのサーブしているノードBは、675Aでコール許可メッセージをサーブしているRNCに転送すると仮定する。
【００７４】
図6Bは、本発明の実施形態の3GPPリリース99にしたがって実施された図5Aのプロセスを示している。図6Bを参照すると、ブロック600Bから633Bはそれぞれ、図5Aの500から533、および/または図6Aの600Aから633Aに対応するが、これ自体は簡潔にするためにさらには論じない。
【００７５】
635Bでは、625BにおいてAT2からのセル更新メッセージを受信および処理した後に、630BにおいてFACH上でセル更新確認メッセージを送信することに加えて、RAN120のサーブしているノードBはまた、635BにおいてAT2に対するタイマを開始させる。例では、タイマの終了期間は、AT2が630Bからのセル更新確認メッセージを適切に復号化し、セル更新確認メッセージによって示された1つまたは複数のチャネルに調整させるための時間を与える遅延に対応する可能性がある。すなわち、AT2での630Bのセル更新確認メッセージの復号化は瞬間的なものではなく、したがってRAN120のサーブしているノードBにより、各AT2に、655BでサーブしているノードBから受信されたアナウンスメッセージを伝達する前にセル更新確認メッセージを復号化するための(例えば、635Bのタイマのタイマ期間または終了期間に対応する)所与の時間を与える。
【００７６】
(例えば、チャネル化コードなどの、専用チャネル(DCH)復号化に必要な情報を抽出した後に)630Bにおいてセル更新確認メッセージを受信および処理すると、640BにおいてAT2はすぐにCELL_DCH状態に移行する。したがって、AT2はそれぞれのダウンリンクDCHを復号化または監視し始める。AT2のDCHのこのような監視は、DPCCH上でのL1同期プロセスと同時に行われることが分かるであろう。
【００７７】
645Bでは、セル更新確認メッセージが処理された後に、RAN120のサーブしているノードBおよびAT2は、(例えば、図5Aの540および/または図6Aの640Aと同様に)DPCCH上でL1同期処理を開始する。例えば、リリース6で開始し、セル更新確認メッセージが復号化されるとすぐにL1同期のために、ポスト検証(別名、高速L1同期)特性が導入されて、ATがアップリンクDPCCH伝達を開始するのが容易になった。したがって、645BのL1同期処理中に、RAN120のサーブしているノードBはAT2にダウンリンクDPCCH上で信号化メッセージを送信し、AT2はRAN120にアップリンクDPCCH上で信号化メッセージを送信する。
【００７８】
L1同期プロセス中に、RAN120のサーブしているノードBは、635Bで開始されたタイマが650Bにおいて終了したかどうかを定期的に検査する。タイマが終了していない場合、RAN120のサーブしているノードBは、AT2にアナウンスメッセージを送信するのをやめる。あるいは、RAN120のサーブしているノードBが、タイマが650Bにおいて終了したと判断した場合、RAN120のサーブしているノードBは655BにおいてAT2にダウンリンクDCH上でコールアナウンスメッセージを送信する。
【００７９】
次に、660BにおいてRAN120およびAT2のサーブしているノードBでのDPCCHが同期されるまで、L1同期プロセスは続く。L1同期が完了した後に、AT2はセル更新確認応答メッセージ(例えば、無線ベアラ、輸送チャネルまたは物理チャネルが630Bのセル更新確認メッセージ内に再構成される上位層であるかどうかに基づいて、無線ベアラ再構成完了メッセージ、輸送チャネル再構成完了メッセージ、および/または物理チャネル再構成完了メッセージ)をRAN120でのサーブしているノードBにDCHまたはE-DCHの上で伝達し、サーブしているノードBは、665BでサーブしているRNCにセル更新確認応答メッセージを転送する。また、RAN120のサーブしているノードBが635Bからのタイマの完了前に665Bにおいてセル更新確認応答メッセージを受信した場合、RAN120のサーブしているノードBは、タイマがまだ完了していないに関わらず、アナウンスメッセージを送信することが分かるであろう。というのは、635Bにおいてタイマが、AT2にセル更新確認メッセージを復号化する時間を与え、(例えば、少なくともタイマが比較的活動的に設定された場合に、AT2がセル更新確認応答メッセージを送信することができる前の遅延により、このシナリオが起こらなくなりそうではあるが)セル更新確認応答メッセージは、セル更新確認メッセージが復号化されたことの実際の表示であるからである。
【００８０】
655Bにおいてアナウンスメッセージを受信した後に、AT2は、(例えば、アナウンスされたコールが緊急コールである場合に)アナウンスメッセージを自動許可することができ、(例えば、AT2が既に別のセッションに携わっている場合に)アナウンスメッセージを自動拒否することができ、またはAT2のユーザがアナウンスされたコールを許可すべきかどうかを判断可能とすることができる。コールを許可するべきかどうかを判断するためにAT2がアナウンスメッセージを処理する間の遅延は、図6Bのブロック670Bに対応する。説明の都合上、各AT2がアナウンスされたコールを許可することを判断し、その後、AT2はRAN120でのサーブしているノードBにアップリンクDCHまたはE-DCH上でコール許可メッセージを送信して、RAN120でのサーブしているノードBは、675Bでコール許可メッセージをサーブしているRNCに転送すると仮定する。
【００８１】
図6Bは、アナウンスメッセージの伝達が遅延されて、AT2がアナウンスメッセージを適切に受信する機会を多くする実施形態を示しており、別の実施形態は、図6Cに関して以下に説明するように、アナウンスメッセージの多数の繰返しを送信することによって、アナウンスメッセージの復号化成功率を高くすることができる。
【００８２】
図6Cは、本発明の別の実施形態では、3GPPリリース99にしたがって実施された図5Aのプロセスを示している。図6Cを参照すると、ブロック603Cから630Cはそれぞれ、図5Aの500から533、図6Aの600Aから633Aおよび/または図6Bの600Bから633Bに対応するが、これ自体は簡潔にするためにさらには論じない。
【００８３】
635Cでは、625CにおいてAT2からのセル更新メッセージを受信および処理した後に、630CにおいてFACH上でセル更新確認メッセージを送信することに加えて、RAN120のサーブしているノードBはまた、635CでAT2に対するタイマを開始させる。例では、635Cのタイマの終了期間は、アナウンス繰返しウィンドウに対応する可能性があり、AT2がアナウンス繰返しウィンドウ内のある点でアナウンスメッセージを復号化する可能性を有することが予測されるように確立することができる。したがって、図6Bの635Bからのタイマとは異なり、図6Cでの635Cのタイマは、その後にアナウンスメッセージが送信されない点を確立し、初期アナウンスメッセージが送信される前の遅延は確立しない。実施形態では、635Cでのタイマの開始は、例では、図6Bの635Bからのタイマの終了期間より短い可能性がある、所与の期間(例えば、630Cのセル更新確認メッセージの予測伝搬時間プラス最小予測復号化処理時間)だけ遅延させることができる。
【００８４】
(例えば、チャネル化コードなどの、専用チャネル(DCH)復号化に必要な情報を抽出した後に)630Cにおいてセル更新確認メッセージを受信および処理すると、640CにおいてAT2はすぐにCELL_DCH状態に移行する。したがって、AT2はそれぞれのダウンリンクDCHを復号化または監視し始める。DCHのこのような監視は、DPCCH上でのL1同期プロセスと同時に行われることが分かるであろう。645Cでは、セル更新確認メッセージが処理された後に、RAN120のサーブしているノードBおよびAT2は、(例えば、図5Aの540および/または図6Aの640Aおよび/または図6Bの645Bと同様に)DPCCH上でL1同期処理を開始する。例えば、リリース6で開始し、セル更新確認メッセージが復号化されるとすぐに、ポスト検証(別名、高速L1同期)特性が導入されて、L1同期のためにATがアップリンクDPCCH伝達を開始するのが容易になった。したがって、645CのL1同期処理中に、RAN120のサーブしているノードBはAT2にダウンリンクDPCCH上で信号化メッセージを送信し、AT2はRAN120のサーブしているノードBにアップリンクDPCCH上で信号化メッセージを送信する。
【００８５】
L1同期プロセス中に、RAN120のサーブしているノードBは、650Cにおいて所与の間隔でAT2にダウンリンクDCH上でコールアナウンスメッセージを定期的に送信する。例えば、650Cでのアナウンスメッセージ伝達間の間隔は、FACH上のMACパケットの物理層伝達のための時間単位である、FACH伝達時間間隔(TTI)に対応する可能性がある。645CのL1同期プロセスが続き、650Cにおいて定期的アナウンスメッセージが送信される間に、RAN120のサーブしているノードBは635Cで開始されたタイマを追跡し、タイマが終了したかどうかを判断する。タイマが終了していない場合、650C、651C、および652Cにおいて、DPCCHのアップリンクおよびダウンリンク上のL1同期プロセスが続き、RAN120のサーブしているノードBが定期的アナウンスメッセージを送信し続ける。RAN120のサーブしているノードBが、タイマが655Cにおいて終了したと判断した場合、L1 DPCCH同期プロセスが続き、RAN120のサーブしているノードBは、定期的アナウンスメッセージを送信するのをやめる。図6Cには図示しないが、AT2が多数のアナウンスメッセージの第1のアナウンスメッセージを復号化する場合、AT2は同じセッションに対するさらなるアナウンスメッセージを無視する。
【００８６】
次に、660CにおいてRAN120のサーブしているノードBおよびAT2でのDPCCHが同期されるまで、L1同期プロセスは続く。L1同期が完了した後に、AT2はセル更新確認応答メッセージ(例えば、無線ベアラ、輸送チャネルまたは物理チャネルが630Bのセル更新確認メッセージ内に再構成される上位層であるかどうかに基づいて、無線ベアラ再構成完了メッセージ、輸送チャネル再構成完了メッセージ、および/または物理チャネル再構成完了メッセージ)をRAN120でのサーブしているノードBにアップリンクDCHまたはE-DCHの上で伝達し、RAN120でのサーブしているノードBは、665CでサーブしているRNCにセル更新確認応答メッセージを転送する。
【００８７】
アナウンスメッセージを受信した後に、AT2は、(例えば、アナウンスされたコールが緊急コールである場合に)アナウンスメッセージを自動許可することができ、(例えば、AT2が既に別のセッションに携わっている場合に)アナウンスメッセージを自動拒否することができ、またはAT2のユーザがアナウンスされたコールを許可すべきかどうかを判断可能とすることができる。コールを許可するべきかどうかを判断するためにAT2がアナウンスメッセージを処理する間の遅延は、図6Cのブロック670Cに対応する。説明の都合上、各AT2がアナウンスされたコールを許可することを判断し、その後、AT2はRAN120のサーブしているノードBにアップリンクDCHまたはE-DCH上でコール許可メッセージを送信して、RAN120のサーブしているノードBは675Cでコール許可メッセージをサーブしているRNCに転送すると仮定する。
【００８８】
本発明の上記実施形態での参照は全体的に、用語「コール」および「セッション」を交換可能に使用しているが、あらゆるコールおよび/またはセッションは、異なる仲間の間での実際のコールを含めて解釈されるべきであるということ、または別の方法では、技術的には「コール」と考えることができないデータ輸送セッションを意図したものであることが分かるであろう。また、上記実施形態は全体的にPTTセッションに関して記載されているが、他の実施形態が プッシュトゥトランスファ(PTX)セッション、緊急VoIPコールなどのあらゆるタイプの通信セッションを対象とすることができる。
【００８９】
当業者は、様々な異なるテクノロジーおよび技術のいずれかを使用して、情報および信号を示すことができることが分かるであろう。例えば、上記記載全体を通して参照することができるデータ、指示、コマンド、情報、信号、ビット、記号、およびチップは、電圧、電流、電磁波、磁場もしくは磁性粒子、光場もしくは光学粒子、またはその任意の組合せによって示すことができる。
【００９０】
さらに、当業者は、本明細書で開示した実施形態に関して記載した様々な例示的な論理ブロック、モジュール、回路およびアルゴリズムステップを、電子ハードウェア、コンピュータソフトウェア、または両方の組合せとして実施することができることが分かるであろう。ハードウェアおよびソフトウェアのこのような互換性を明確に示すために、様々な例示的な構成部品、ブロック、モジュール、回路、およびステップが、全体的にその機能に関して上に記載されている。このような機能がハードウェアまたはソフトウェアとして実施されるかどうかは、システム全体に課された特定のアプリケーションおよび設計制約による。当業者は、各特定のアプリケーションに対して様々な方法で記載した機能を実施することができるが、このような実施の決定は本発明の範囲から逸脱するものとして解釈されるべきものではない。
【００９１】
本明細書に記載した実施形態に関して記載した様々な例示的な論理ブロック、モジュール、および回路を、汎用プロセッサ、デジタル信号プロセッサ(DSP)、特定用途向け集積回路(ASIC)、フィールドプログラマブルゲートアレイ(FPGA)、または他のプログラム可能論理デバイス、離散ゲートまたはトランジスタロジック、離散ハードウェア構成要素、または本明細書に記載した機能を行うように設計されたその任意の組合せで実施するまたは行うことができる。汎用プロセッサは、マイクロプロセッサであってもよいが、代替形態では、プロセッサは、任意の従来のプロセッサ、コントローラ、マイクロコントローラ、または状態機械であってもよい。プロセッサはまた、計算デバイスの組合せ、例えば、DSPおよびマイクロプロセッサの組合せ、複数のマイクロプロセッサ、DSPコアと合わせた1つまたは複数のマイクロプロセッサ、または任意の他のこのような構成として実施することができる。
【００９２】
本明細書で開示した実施形態に関して記載した方法、シーケンスおよび/またはアルゴリズムは、ハードウェア、プロセッサによって実行されたソフトウェアモジュール、またはこの2つの組合せ内で直接具体化することができる。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体内に存在することができる。例示的な記憶媒体は、プロセッサに結合され、それによってプロセッサは記憶媒体から情報を読み取り、記憶媒体へ情報を書き込むことができる。代替形態では、記憶媒体をプロセッサと一体化することができる。プロセッサおよび記憶媒体は、ASIC内に存在することができる。ASICは、ユーザ端末(例えば、アクセス端末)内に存在することができる。代替形態では、プロセッサおよび記憶媒体はユーザ端末内に個別の構成要素として存在することができる。
【００９３】
1つまたは複数の例示的な実施形態では、記載した機能は、ハードウェア、ソフトウェア、ファームウェア、またはその任意の組合せで実施することができる。ソフトウェア内で実施される場合、コンピュータ読取可能な媒体上の1つまたは複数の指示またはコードとして、機能を記憶または伝達することができる。コンピュータ読取可能な媒体は、1つの場所から別の場所までのコンピュータプログラムの運搬を容易にする任意の媒体を含む、コンピュータ記憶媒体および通信媒体の両方を含んでいる。記憶媒体は、コンピュータによってアクセスすることができる任意の利用可能な媒体であってもよい。例として、これに限らないが、このようなコンピュータ読取可能な媒体は、RAM、ROM、EEPROM、CD-ROMまたは他の光学ディスク記憶、磁気ディスク記憶または他の磁気記憶デバイス、または指示およびデータ構造の形で所望のプログラムコードを担持または記憶するために使用することができ、コンピュータによってアクセスすることができる任意の他の媒体を含むことができる。また、任意の接続は適切に、コンピュータ読取可能な媒体と称する。例えば、ソフトウェアが同軸ケーブル、光ファイバケーブル、ツイストペア、デジタル加入者線(DSL)、または赤外線、無線、およびマイクロ波などの無線技術を使用して、ウェブサイト、サーバ、または他の遠隔ソースから伝達される場合、その後、同軸ケーブル、光ファイバケーブル、ツイストペア、DSL、または赤外線、無線、およびマイクロ波などの無線技術は、媒体の定義内に含まれる。本明細書で使用されるようなディスク(diskおよびdisc)は、コンパクトディスク(CD)、レーザディスク、光学ディスク、デジタル多用途ディスク(DVD)、フロッピディスク、およびブルーレイディスクを含んでおり、ディスク(disk)は普通、データを磁気的に再生し、ディスク(disc)はデータをレーザで光学的に再生する。上記の組合せはまた、コンピュータ読取可能な媒体の範囲内に含まれるべきものである。
【００９４】
前述の開示は本発明の例示的な実施形態を示しているが、様々な変更および改変を、添付の特許請求の範囲によって規定されたように、本発明の範囲から逸脱することなく本明細書に加えることができることに留意されたい。本明細書に記載した本発明の実施形態による方法クレームの機能、ステップおよび/または動作は、任意の特定の順序で行う必要はない。さらに、本発明の要素が単数で記載または請求されていることがあるが、単数という限定が明示的に記されていない限り複数も考えられる。
【符号の説明】
【００９５】
104  エアインターフェイス
122  APコントローラ
126  コアネットワーク
160  サービングGPRSサポートノード
165  ゲートウェイGPRSサポートノード
170  アプリケーションサーバ
170A  地域ディスパッチャ
170B  MCC
175  インターネット
182  認証、認可およびアカウンティング(AAA)サーバ
184  プロビジョニングサーバ
186  インターネットプロトコル(IP)マルチメディアサブシステム(IMS)/セッション開始プロトコル(SIP)登録サーバ
200  AT
206  送受信機
210  アプリケーションプログラミングインターフェイス
214  ローカルデータベース
【図１】
0005393879.tif 000002
【図２Ａ】
0005393879.tif 000003
【図２Ｂ】
0005393879.tif 000004
【図３】
0005393879.tif 000005
【図４Ａ】
0005393879.tif 000006
【図４Ｂ】
0005393879.tif 000007
【図５Ａ】
0005393879.tif 000008
【図５Ｂ】
0005393879.tif 000009
【図６Ａ】
0005393879.tif 000010
【図６Ｂ】
0005393879.tif 000011
【図６Ｃ】
0005393879.tif 000012